(57)【要約】  空調システムは、ヒートポンプ（１２）と、第１液媒体が循環する第１液媒体回路（１４）と、第２液媒体が循環する第２液媒体回路（１６）と、熱源（２２、５８）と、接続切替装置（１９、６８）と、制御装置（２０）とを備える。第２液媒体回路は、第１液媒体回路に対して独立して設けられている。接続切替装置は、熱源を第２液媒体回路へ接続するか否かを切り替える。ヒートポンプの冷媒放熱部（２６）は、第１液媒体と冷媒とを熱交換させることで冷媒の熱を第１液媒体へ移動させる液加熱器（２７）を含む。また、ヒートポンプの液冷却器（３５）は、第２液媒体と冷媒とを熱交換させることで第２液媒体の熱を冷媒へ移動させる。制御装置は、第１液媒体回路と第２液媒体回路と熱源とヒートポンプとの何れかの熱に関連する熱関連物理量に基づいて、熱源を第２液媒体回路へ接続するか否かの切替えを接続切替装置に行わせる。
2017038677.tif 000002
【特許請求の範囲】
【請求項１】
空調対象空間を暖める暖房運転を行う空調システムであって、
液冷却器（３５）、該液冷却器から流出する冷媒を吸入し該吸入した冷媒を圧縮してから吐出する圧縮機（２４）、該圧縮機から前記冷媒が流入し該流入した冷媒の熱のうちの少なくとも一部を前記空調対象空間へ吹き出される空調空気（ＡＲ１）へ放散させる冷媒放熱部（２６）、および、該冷媒放熱部から流出する前記冷媒を減圧してから前記液冷却器へ流す減圧部（３２）を含んで構成されたヒートポンプ（１２）と、
第１液媒体が循環する第１液媒体回路（１４）と、
該第１液媒体回路に対して独立して設けられ、第２液媒体が循環する第２液媒体回路（１６）と、
熱を発する熱源（２２、５８）と、
該熱源を前記第２液媒体回路へ接続するか否かを切り替える接続切替装置（１９、６８）と、
該接続切替装置を制御する制御装置（２０）とを備え、
前記冷媒放熱部は、前記第１液媒体と前記冷媒とを熱交換させることで前記冷媒の熱を前記第１液媒体へ移動させる液加熱器（２７）を含み、
前記液冷却器は、前記第２液媒体と前記冷媒とを熱交換させることで前記第２液媒体の熱を前記冷媒へ移動させ、
前記制御装置は、前記第１液媒体回路と前記第２液媒体回路と前記熱源と前記ヒートポンプとの何れかの熱に関連する熱関連物理量に基づいて、前記熱源を前記第２液媒体回路へ接続するか否かの切替えを前記接続切替装置に行わせる空調システム。
【請求項２】
前記接続切替装置（１９）は、
前記熱源を前記第１液媒体回路へ接続するか否かも切替え可能となっており、
前記第２液媒体回路への前記熱源の接続を遮断する場合には、前記熱源を前記第１液媒体回路へ接続し、
前記熱源を前記第２液媒体回路へ接続する場合には、前記第１液媒体回路への前記熱源の接続を遮断する請求項１に記載の空調システム。
【請求項３】
前記第２液媒体回路は、外気と前記第２液媒体とを熱交換させることで外気の熱を前記第２液媒体へ移動させる外気吸熱器（４４）を有し、
前記制御装置は、前記熱関連物理量のうち前記外気吸熱器における熱に関連する所定の物理量（ＴＬ、Ｐｓ、Ｖｗｌ）に基づいて、前記熱源を前記第２液媒体回路へ接続するか否かの切替えを前記接続切替装置に行わせる請求項１または２に記載の空調システム。
【請求項４】
前記第２液媒体回路は、外気と前記第２液媒体とを熱交換させることで外気の熱を前記第２液媒体へ移動させる外気吸熱器（４４）を有し、
前記制御装置は、前記熱関連物理量のうちの所定の物理量（ＴＬ、Ｐｓ、Ｖｗｌ）に基づき、前記外気吸熱器が着霜していると推定された場合には、前記接続切替装置に前記熱源を前記第２液媒体回路へ接続させる請求項１または２に記載の空調システム。
【請求項５】
前記第２液媒体回路は、外気と前記第２液媒体とを熱交換させることで外気の熱を前記第２液媒体へ移動させる外気吸熱器（４４）と、前記外気吸熱器への前記第２液媒体の流通を制限する流通制限装置（６６）とを有し、
前記制御装置は、前記第２液媒体の温度（ＴＬ）が外気の温度（Ｔａ）よりも高く且つ該第２液媒体の温度と該外気の温度との温度差が予め定められた温度差閾値（Ｔｉｘ）以上であるという外気温度条件が成立する場合には、該外気温度条件が不成立である場合と比較して、前記外気吸熱器へ流通する前記第２液媒体の流量を前記流通制限装置により減少させる請求項１または２に記載の空調システム。
【請求項６】
前記第２液媒体回路は、外気と前記第２液媒体とを熱交換させることで外気の熱を前記第２液媒体へ移動させる外気吸熱器（４４）と、前記外気吸熱器へ供給される外気の流量を増減する風量増減装置（４６）とを有し、
前記制御装置は、前記第２液媒体の温度（ＴＬ）が外気の温度（Ｔａ）よりも高く且つ該第２液媒体の温度と該外気の温度との温度差が予め定められた温度差閾値（Ｔｉｘ）以上であるという外気温度条件が成立する場合には、該外気温度条件が不成立である場合と比較して、前記外気吸熱器へ供給される外気の流量を前記風量増減装置により減少させる請求項１または２に記載の空調システム。
【請求項７】
前記制御装置は、前記熱関連物理量に含まれる前記熱源の温度（Ｔｓ、Ｔｓ１、Ｔｓ２）が、前記熱関連物理量に含まれる前記第１液媒体の温度（ＴＨ）よりも高い場合には、前記接続切替装置に前記熱源を前記第１液媒体回路へ接続させる請求項２に記載の空調システム。
【請求項８】
前記制御装置は、前記熱源の温度が前記第１液媒体の温度以下であり、且つ、前記熱源の温度が、前記熱関連物理量に含まれる前記第２液媒体の温度（ＴＬ）よりも高い場合には、前記接続切替装置に前記熱源を前記第２液媒体回路へ接続させる請求項７に記載の空調システム。
【請求項９】
前記制御装置は、前記熱関連物理量に含まれる前記熱源の温度（Ｔｓ、Ｔｓ１、Ｔｓ２）が、前記熱関連物理量に含まれる前記第２液媒体の温度（ＴＬ）よりも高い場合には、前記接続切替装置に前記熱源を前記第２液媒体回路へ接続させる請求項１または２に記載の空調システム。
【請求項１０】
前記第２液媒体回路は、外気と前記第２液媒体とを熱交換させることで外気の熱を前記第２液媒体へ移動させる外気吸熱器（４４）を有し、
前記制御装置は、前記暖房運転の開始時から予め定められた所定時間（ｔ１）が経過するまでは、前記接続切替装置に前記熱源を前記第１液媒体回路へ接続させ、前記所定時間が経過してから、前記接続切替装置に前記熱源を前記第２液媒体回路へ接続させる請求項２に記載の空調システム。
【請求項１１】
空調対象空間を暖める暖房運転を行う空調システムであって、
液冷却器（３５）、該液冷却器から流出する前記冷媒を吸入し該吸入した冷媒を圧縮してから吐出する圧縮機（２４）、該圧縮機から前記冷媒が流入し該流入した冷媒の熱のうちの少なくとも一部を前記空調対象空間へ吹き出される空調空気（ＡＲ１）へ放散させる冷媒放熱部（２６）、および、該冷媒放熱部から流出する前記冷媒を減圧してから前記液冷却器へ流す減圧部（３２）を含んで構成されたヒートポンプ（１２）と、
第１液媒体が循環する第１液媒体回路（１４）と、
該第１液媒体回路に対して独立して設けられ、第２液媒体が循環する第２液媒体回路（１６）と、
熱を発する熱源（２２、５８）と、
該熱源を前記第１液媒体回路と前記第２液媒体回路との何れかに接続する接続切替装置（１９）と、
該接続切替装置を制御する制御装置（２０）とを備え、
前記第２液媒体回路は、外気と前記第２液媒体とを熱交換させることで外気の熱を前記第２液媒体へ移動させる外気吸熱器（４４）を有し、
前記冷媒放熱部は、前記第１液媒体と前記冷媒とを熱交換させることで前記冷媒の熱を前記第１液媒体へ移動させる液加熱器（２７）を含み、
前記液冷却器は、前記第２液媒体と前記冷媒とを熱交換させることで前記第２液媒体の熱を前記冷媒へ移動させ、
前記制御装置は、前記暖房運転の開始時から予め定められた所定時間（ｔ１）が経過するまでは、前記接続切替装置に前記熱源を前記第１液媒体回路へ接続させ、前記所定時間が経過してから、前記接続切替装置に前記熱源を前記第２液媒体回路へ接続させる空調システム。
【請求項１２】
前記冷媒放熱部は、前記液加熱器に対し直列または並列に接続された室内放熱器（２８）を含み、
該室内放熱器は、前記冷媒と前記空調空気とを熱交換させることで該冷媒の熱を該空調空気へ移動させる請求項１ないし１１のいずれか１つに記載の空調システム。
【請求項１３】
前記冷媒放熱部は、前記液加熱器に対し直列または並列に接続された室外放熱器（７２）を含み、
該室外放熱器は、前記冷媒と外気とを熱交換させることで前記冷媒の熱を外気へ移動させる請求項１ないし１１のいずれか１つに記載の空調システム。
【請求項１４】
前記ヒートポンプは、前記液冷却器に対し直列または並列に接続された冷媒蒸発器（３６）を含み、
該冷媒蒸発器は、前記冷媒と外気とを熱交換させることで外気の熱を前記冷媒へ移動させる請求項１ないし１２のいずれか１つに記載の空調システム。
【請求項１５】
空調対象空間を暖める暖房運転を行う空調システムであって、
液冷却器（３５）、該液冷却器から流出する前記冷媒を吸入し該吸入した冷媒を圧縮してから吐出する圧縮機（２４）、該圧縮機から前記冷媒が流入する液加熱器（２７）、および、該液加熱器から流出する前記冷媒を減圧してから前記液冷却器へ流す減圧部（３２）を含んで構成されたヒートポンプ（１２）と、
第１液媒体が循環する第１液媒体回路（１４）と、
該第１液媒体回路に対して独立して設けられ、第２液媒体が循環する第２液媒体回路（１６）と、
熱を発する熱源（２２）と、
制御装置（２０）とを備え、
前記第１液媒体回路は、前記第１液媒体と前記空調空気とを熱交換させることで前記第１液媒体の熱を前記空調空気へ移動させる放熱器（４０）と、該放熱器に対して並列に接続され前記第１液媒体を前記熱源へ流す熱源流路（１４１）と、該熱源流路を開閉する熱源用開閉弁（１４２）とを有し、
前記液加熱器は、前記第１液媒体と前記冷媒とを熱交換させることで前記冷媒の熱を前記第１液媒体へ移動させ、
前記液冷却器は、前記第２液媒体と前記冷媒とを熱交換させることで前記第２液媒体の熱を前記冷媒へ移動させ、
前記制御装置は、前記第１液媒体の温度（ＴＨ）が前記熱源の温度（Ｔｓ１）よりも低い場合に、熱源用開閉弁を開く空調システム。
【請求項１６】
第１熱源としての前記熱源のほかに、熱を発する第２熱源（５８）を備え、
前記熱源流路は第１熱源流路であり、
前記熱源用開閉弁は第１熱源用開閉弁であり、
前記第２液媒体回路は、外気と前記第２液媒体とを熱交換させることで外気の熱を前記第２液媒体へ移動させる外気吸熱器（４４）と、該外気吸熱器に対して並列に接続され前記第２液媒体を前記第２熱源へ流す第２熱源流路（１６１）と、該第２熱源流路を開閉する第２熱源用開閉弁（１６２）とを有し、
前記制御装置は、前記第２液媒体の温度（ＴＬ）が前記第２熱源の温度（Ｔｓ２）よりも低い場合に、第２熱源用開閉弁を開く請求項１５に記載の空調システム。
【請求項１７】
空調対象空間を暖める暖房運転を行う空調システムであって、
液冷却器（３５）、該液冷却器から流出する前記冷媒を吸入し該吸入した冷媒を圧縮してから吐出する圧縮機（２４）、該圧縮機から前記冷媒が流入する液加熱器（２７）、および、該液加熱器から流出する前記冷媒を減圧してから前記液冷却器へ流す減圧部（３２）を含んで構成されたヒートポンプ（１２）と、
第１液媒体が循環する第１液媒体回路（１４）と、
該第１液媒体回路に対して独立して設けられ、第２液媒体が循環する第２液媒体回路（１６）と、
熱を発する熱源（５８）と、
制御装置（２０）とを備え、
前記第１液媒体回路は、前記第１液媒体と前記空調空気とを熱交換させることで前記第１液媒体の熱を前記空調空気へ移動させる放熱器（４０）を有し、
前記第２液媒体回路は、外気と前記第２液媒体とを熱交換させることで外気の熱を前記第２液媒体へ移動させる外気吸熱器（４４）と、該外気吸熱器に対して並列に接続され前記第２液媒体を前記熱源へ流す熱源流路（１６１）と、該熱源流路を開閉する熱源用開閉弁（１６２）とを有し、
前記液加熱器は、前記第１液媒体と前記冷媒とを熱交換させることで前記冷媒の熱を前記第１液媒体へ移動させ、
前記液冷却器は、前記第２液媒体と前記冷媒とを熱交換させることで前記第２液媒体の熱を前記冷媒へ移動させ、
前記制御装置は、前記第２液媒体の温度（ＴＬ）が前記熱源の温度（Ｔｓ２）よりも低い場合に、熱源用開閉弁を開く空調システム。
【発明の詳細な説明】
【関連出願への相互参照】
【０００１】
本出願は、２０１５年８月２８日に出願された日本特許出願番号２０１５−１６９３９５号に基づくもので、ここにその記載内容が参照により組み入れられる。
【技術分野】
【０００２】
本開示は、暖房運転を行う空調システムに関するものである。
【背景技術】
【０００３】
この種の熱交換システムとして、例えば特許文献１に記載された車両用熱管理システムが従来から知られている。この特許文献１に記載された車両用熱管理システムは、極低外気温時にヒートポンプサイクルを用いて暖機もしくは暖房をしようとしても圧縮機に吸入される冷媒の密度が低く十分な性能が発揮されないということを解決するものである。このことを解決するために、特許文献１の車両用熱管理システムは、水吸熱かつ水加熱式のヒートポンプサイクルを有している。そして、その車両用熱管理システムは、ヒートポンプサイクルの高圧側で昇温した冷却水をヒートポンプサイクルの低圧側にも流し、圧縮機に吸入される冷媒の密度を上げることで、その圧縮機の仕事を大きくし、必要な性能を確保する。
【先行技術文献】
【特許文献】
【０００４】
【特許文献１】特開２０１４−２０１１４８号公報
【発明の概要】
【０００５】
特許文献１の車両用熱管理システムは、冷却水の流れの切替えにより暖房性能を向上させることが可能である。しかし、例えば車両には、バッテリやエンジンのようにそれ自体が冷却対象または加熱対象となり得る冷熱体が存在する。そして、特許文献１の車両用熱管理システムは、冷媒、熱媒体、または空気など互いに異なる流体同士を熱交換させる熱交換器を有してはいるものの、上記冷熱体に対する熱の授受により性能の向上たとえば暖房性能の向上を図るものではなかった。すなわち、特許文献１の車両用熱管理システムには、外部に設けられた冷熱体を利用して暖房性能の向上を図る余地が残されていた。
【０００６】
本開示は上記点に鑑みて、上記冷熱体に相当する熱源との熱の授受により暖房性能の向上を図ることが可能な空調システムを提供することを目的とする。
【０００７】
上記目的を達成するため、本開示の１つの観点によれば、本開示の空調システムは、
空調対象空間を暖める暖房運転を行う空調システムであって、
液冷却器、その液冷却器から流出する冷媒を吸入しその吸入した冷媒を圧縮してから吐出する圧縮機、その圧縮機から冷媒が流入しその流入した冷媒の熱のうちの少なくとも一部を空調対象空間へ吹き出される空調空気へ放散させる冷媒放熱部、および、その冷媒放熱部から流出する冷媒を減圧してから液冷却器へ流す減圧部を含んで構成されたヒートポンプと、
第１液媒体が循環する第１液媒体回路と、
その第１液媒体回路に対して独立して設けられ、第２液媒体が循環する第２液媒体回路と、
熱を発する熱源と、
その熱源を第２液媒体回路へ接続するか否かを切り替える接続切替装置と、
その接続切替装置を制御する制御装置とを備え、
冷媒放熱部は、第１液媒体と冷媒とを熱交換させることで冷媒の熱を第１液媒体へ移動させる液加熱器を含み、
液冷却器は、第２液媒体と冷媒とを熱交換させることで第２液媒体の熱を冷媒へ移動させ、
制御装置は、第１液媒体回路と第２液媒体回路と熱源とヒートポンプとの何れかの熱に関連する熱関連物理量に基づいて、熱源を第２液媒体回路へ接続するか否かの切替えを接続切替装置に行わせる。
【０００８】
このようにすれば、第２液媒体回路を循環する第２液媒体へ熱源の熱を適宜供給することが可能である。そして、その第２液媒体の熱は、ヒートポンプを介して最終的には空調空気へと供給される。従って、その熱源と第２液媒体との熱の授受により暖房性能の向上を図ることが可能である。
【０００９】
また、本開示の別の観点によれば、本開示の空調システムは、
空調対象空間を暖める暖房運転を行う空調システムであって、
液冷却器、その液冷却器から流出する冷媒を吸入しその吸入した冷媒を圧縮してから吐出する圧縮機、その圧縮機から冷媒が流入しその流入した冷媒の熱のうちの少なくとも一部を空調対象空間へ吹き出される空調空気へ放散させる冷媒放熱部、および、その冷媒放熱部から流出する冷媒を減圧してから液冷却器へ流す減圧部を含んで構成されたヒートポンプと、
第１液媒体が循環する第１液媒体回路と、
その第１液媒体回路に対して独立して設けられ、第２液媒体が循環する第２液媒体回路と、
熱を発する熱源と、
その熱源を第１液媒体回路と第２液媒体回路との何れかに接続する接続切替装置と、
その接続切替装置を制御する制御装置とを備え、
第２液媒体回路は、外気と第２液媒体とを熱交換させることで外気の熱を第２液媒体へ移動させる外気吸熱器を有し、
冷媒放熱部は、第１液媒体と冷媒とを熱交換させることで冷媒の熱を第１液媒体へ移動させる液加熱器を含み、
液冷却器は、第２液媒体と冷媒とを熱交換させることで第２液媒体の熱を冷媒へ移動させ、
制御装置は、暖房運転の開始時から予め定められた所定時間が経過するまでは、接続切替装置に熱源を第１液媒体回路へ接続させ、所定時間が経過してから、接続切替装置に熱源を第２液媒体回路へ接続させる。
【００１０】
このようにすれば、熱源と第１液媒体または第２液媒体との熱の授受により暖房性能の向上を図ることが可能である。そして、暖房運転の開始当初においては、空調空気の加熱に対して影響が大きい第１液媒体の温度上昇を早めると共に、暖房運転の開始時から所定時間の経過後には、外気吸熱器の着霜に起因した暖房性能の低下を防止することを優先することが可能である。
【００１１】
また、本開示の別の観点によれば、本開示の空調システムは、
空調対象空間を暖める暖房運転を行う空調システムであって、
液冷却器、その液冷却器から流出する冷媒を吸入しその吸入した冷媒を圧縮してから吐出する圧縮機、その圧縮機から冷媒が流入する液加熱器、および、その液加熱器から流出する冷媒を減圧してから液冷却器へ流す減圧部を含んで構成されたヒートポンプと、
第１液媒体が循環する第１液媒体回路と、
その第１液媒体回路に対して独立して設けられ、第２液媒体が循環する第２液媒体回路と、
熱を発する熱源と、
制御装置とを備え、
第１液媒体回路は、第１液媒体と空調空気とを熱交換させることで第１液媒体の熱を空調空気へ移動させる放熱器と、その放熱器に対して並列に接続され第１液媒体を熱源へ流す熱源流路と、その熱源流路を開閉する熱源用開閉弁とを有し、
液加熱器は、第１液媒体と冷媒とを熱交換させることで冷媒の熱を第１液媒体へ移動させ、
液冷却器は、第２液媒体と冷媒とを熱交換させることで第２液媒体の熱を冷媒へ移動させ、
制御装置は、第１液媒体の温度が熱源の温度よりも低い場合に、熱源用開閉弁を開く。
【００１２】
このようにすれば、液加熱器で加熱された第１液媒体の温度を下げることなく熱源の熱を暖房に利用することが可能である。従って、熱源と第１液媒体との熱の授受により暖房性能の向上を図ることが可能である。
【００１３】
また、本開示の別の観点によれば、本開示の空調システムは、
空調対象空間を暖める暖房運転を行う空調システムであって、
液冷却器、その液冷却器から流出する冷媒を吸入しその吸入した冷媒を圧縮してから吐出する圧縮機、その圧縮機から冷媒が流入する液加熱器、および、その液加熱器から流出する冷媒を減圧してから液冷却器へ流す減圧部を含んで構成されたヒートポンプと、
第１液媒体が循環する第１液媒体回路と、
その第１液媒体回路に対して独立して設けられ、第２液媒体が循環する第２液媒体回路と、
熱を発する熱源と、
制御装置とを備え、
第１液媒体回路は、第１液媒体と空調空気とを熱交換させることで第１液媒体の熱を空調空気へ移動させる放熱器を有し、
第２液媒体回路は、外気と第２液媒体とを熱交換させることで外気の熱を第２液媒体へ移動させる外気吸熱器と、その外気吸熱器に対して並列に接続され第２液媒体を熱源へ流す熱源流路と、その熱源流路を開閉する熱源用開閉弁とを有し、
液加熱器は、第１液媒体と冷媒とを熱交換させることで冷媒の熱を第１液媒体へ移動させ、
液冷却器は、第２液媒体と冷媒とを熱交換させることで第２液媒体の熱を冷媒へ移動させ、
制御装置は、第２液媒体の温度が熱源の温度よりも低い場合に、熱源用開閉弁を開く。
【００１４】
このようにすれば、液冷却器で冷却された第２液媒体の温度を下げることなく熱源の熱を暖房に利用することが可能である。従って、熱源と第２液媒体との熱の授受により暖房性能の向上を図ることが可能である。
【図面の簡単な説明】
【００１５】
【図１】第１実施形態の空調システムの全体構成を示した回路図である。
【図２】第１実施形態において空調システムの電子制御装置が実行する制御処理を示すフローチャートである。
【図３】第１実施形態の空調システムについて、通常域（具体的には、外気温度が０℃〜−２０℃で且つ外気吸熱器の非着霜時）と、外気吸熱器の着霜時または外気温度が極低温（例えば−３０℃以下）になる極低温時とのそれぞれにおける暖房熱量の試算結果を示した図表である。
【図４】第２実施形態の空調システムの全体構成を示した回路図であって、第１実施形態の図１に相当する図である。
【図５】第２実施形態で第１冷熱体に関して実行される制御処理を示すフローチャートであって、第１実施形態の図２に相当する図である。
【図６】第２実施形態で第２冷熱体に関して実行される制御処理を示すフローチャートであって、第１実施形態の図２に相当する図である。
【図７】第３実施形態の空調システムの全体構成を示した回路図であって、第２実施形態の図４に相当する図である。
【図８】第３実施形態で第１冷熱体に関して実行される制御処理を示すフローチャートであって、第２実施形態の図５に相当する図である。
【図９】第３実施形態で第２冷熱体に関して実行される制御処理を示すフローチャートであって、第２実施形態の図６に相当する図である。
【図１０】第４実施形態の空調システムの全体構成を示した回路図であって、第１実施形態の図１に相当する図である。
【図１１】第４実施形態において第１熱源用開閉弁を作動させるための制御処理を示したフローチャートであって、第１実施形態の図２に相当する図である。
【図１２】第４実施形態において第２熱源用開閉弁を作動させるための制御処理を示すフローチャートであって、第１実施形態の図２に相当する図である。
【図１３】第５実施形態の空調システムの全体構成を示した回路図であって、第４実施形態の図１０に相当する図である。
【図１４】第５実施形態において空調システムの電子制御装置が実行する制御処理を示すフローチャートである。
【図１５】第６実施形態の電子制御装置が実行する制御処理を示したフローチャートであって、第１実施形態の図２に相当する図である。
【図１６】第７実施形態の電子制御装置が実行する制御処理を示したフローチャートであって、第１実施形態の図２に相当する図である。
【図１７】第８実施形態の空調システムが有するヒートポンプの構成を示した回路図である。
【図１８】第９実施形態の空調システムが有するヒートポンプの構成を示した回路図である。
【図１９】第１０実施形態の空調システムが有するヒートポンプの構成を示した回路図である。
【図２０】第１１実施形態の空調システムが有するヒートポンプの構成を示した回路図である。
【図２１】第１２実施形態の空調システムが有するヒートポンプの構成を示した回路図である。
【図２２】第１３実施形態の空調システムが有するヒートポンプの構成を示した回路図である。
【図２３】第１４実施形態の空調システムが有するヒートポンプの構成を示した回路図である。
【図２４】第１５実施形態の空調システムが有するヒートポンプの構成を示した回路図である。
【図２５】第１６実施形態の空調システムが有するヒートポンプの構成を示した回路図である。
【図２６】第５実施形態の変形例を示す第１の図であって、図１４のステップＳ６０２に替わるステップＳ６０２−１を示した図である。
【図２７】第５実施形態の変形例を示す第２の図であって、図１４のステップＳ６０５に替わるステップＳ６０５−１を示した図である。
【発明を実施するための形態】
【００１６】
以下、本開示の実施形態について図に基づいて説明する。なお、以下の各実施形態相互において、互いに同一もしくは均等である部分には、図中、同一符号を付してある。
【００１７】
（第１実施形態）
図１は、本実施形態の空調システム１０の全体構成を示した回路図である。本実施形態の空調システム１０は、図１に示すように、ヒートポンプ１２の高圧側熱交換器と低圧側熱交換器との何れにも水冷媒熱交換器を用いたものである。特に、空調システム１０は、暖房運転時において暖房性能の確保のために別熱源（例えば電気ヒータ、インバータ排熱、エンジンなど）としての冷熱体２２を利用する構成を備えている。例えば、空調システム１０が使用される使用条件には、低圧側熱交換器で冷媒と熱交換される液媒体が凝固点付近にある場合、要するに極低温時や着霜時が含まれている。本実施形態では、そのような極低温時や着霜時において冷熱体２２の熱を何れへ導入するかという熱の導入法を提案する。
【００１８】
空調システム１０は、例えばハイブリッド車両または電気自動車に搭載され、空調される対象になる空調対象空間としての車室内へ吹き出される空調空気ＡＲ１を加熱することで車室内を暖める暖房運転を行う。そのために、空調システム１０は、図１に示すように、ヒートポンプ１２と、第１液媒体回路１４と、第２液媒体回路１６と、冷熱体接続流路１８と、回路切替装置１９と、空調システム１０の制御部としての電子制御装置２０とを備えている。そのヒートポンプ１２は、冷媒が循環する冷凍サイクルで構成されている。また、第１液媒体回路１４は、その冷媒により加熱される第１液媒体が循環する液媒体回路である。また、第２液媒体回路１６は、その冷媒により冷却される第２液媒体が循環する液媒体回路である。
【００１９】
空調システム１０は、第２液媒体から吸熱し且つ第１液媒体を加熱する水吸熱水加熱式ヒートポンプサイクルと、第１液媒体または第２液媒体を冷熱体２２へ流通させる熱源回路としての冷熱体接続流路１８とが組み合わされた構成となっている。その水吸熱水加熱式ヒートポンプサイクルとは、第１および第２液媒体回路１４、１６とヒートポンプ１２とから成り、外気からヒートポンプを行うサイクルである。
【００２０】
なお、第１液媒体および第２液媒体は、相互に異なる種類の液体であっても良いが、本実施形態では同一種類の液体であって例えば不凍液である。また、図１において第１液媒体回路１４、第２液媒体回路１６、および冷熱体接続流路１８のそれぞれに付された矢印は、第１液媒体または第２液媒体が流れる向きを表している。また、第１液媒体は第２液媒体よりも高温になるので、第１液媒体を高温側冷却水と呼び、第２液媒体を低温側冷却水と呼んでも良い。そして、第１液媒体回路１４を高温回路と呼び、第２液媒体回路１６を低温回路と呼んでも良い。
【００２１】
ヒートポンプ１２は、高圧側冷媒圧力が冷媒の臨界圧力を超えない蒸気圧縮式の亜臨界冷凍サイクルを構成している。ヒートポンプ１２は、圧縮機２４、冷媒から放熱させる冷媒放熱部２６、減圧部３２、および、冷媒に吸熱させる冷媒吸熱部３４等から構成されている。
【００２２】
圧縮機２４は、冷媒を吸入する吸入口２４ａと、冷媒を吐出する吐出口２４ｂとを有している。圧縮機２４は、ヒートポンプ１２において冷媒吸熱部３４から流出する冷媒を吸入口２４ａから吸入し、その吸入した冷媒を圧縮してから吐出するものである。その圧縮機２４の吐出口２４ｂには、液加熱器２７の冷媒入口２７１ａが接続されている。
【００２３】
圧縮機２４は電動圧縮機であり、圧縮機２４の圧縮機構としては、具体的に、スクロール型圧縮機構、ベーン型圧縮機構等の各種圧縮機構を採用することができる。
【００２４】
圧縮機２４の電動モータは、電子制御装置２０から出力される制御信号によって、その作動（具体的には、回転数）が制御されるもので、その電動モータとしては、交流モータ、直流モータのいずれの形式が採用されもよい。そして、この電動モータの回転数制御によって、圧縮機２４の冷媒吐出能力が変更される。
【００２５】
冷媒放熱部２６は、第１液媒体回路１４を循環する第１液媒体と冷媒とを熱交換させることでその冷媒の熱を第１液媒体へ移動させる熱交換器としての液加熱器２７で構成されている。この液加熱器２７は、第１液媒体と冷媒とを熱交換させることで第１液媒体を加熱すると共に冷媒を凝縮させる所謂水冷コンデンサである。
【００２６】
また、液加熱器２７は、第１液媒体と冷媒とを熱交換させるために、冷媒入口２７１ａと冷媒出口２７１ｂとを有する冷媒流通部２７１と、液媒体入口２７２ａと液媒体出口２７２ｂとを有する第１液媒体流通部２７２とを有している。その冷媒流通部２７１および第１液媒体流通部２７２は一体に構成されている。
【００２７】
液加熱器２７の冷媒入口２７１ａには、圧縮機２４から流出した高温高圧の冷媒が流入し、液加熱器２７は、その圧縮機２４から冷媒流通部２７１へ流入した冷媒と第１液媒体流通部２７２を流れる第１液媒体とを熱交換させる。要するに、液加熱器２７は、冷媒流通部２７１を流れる冷媒から第１液媒体へ放熱させ、それにより冷媒を凝縮させる。そして、その放熱後の冷媒を冷媒出口２７１ｂから流出させる。その液加熱器２７の冷媒出口２７１ｂは減圧部３２へ接続されている。
【００２８】
減圧部３２は、車両用空調装置に汎用的に使用され機械的機構によって冷媒を減圧膨張させる温度感応型機械式膨張弁である。具体的に、減圧部３２は、液加熱器２７の冷媒出口２７１ｂから流出する冷媒を減圧してから液冷却器３５の冷媒入口３５１ａへ流す。そして、減圧部３２は、液冷却器３５の冷媒出口３５１ｂの冷媒温度および冷媒圧力に基づき、冷媒を減圧膨張させるための絞り度合いを調節する。減圧部３２は、液冷却器３５の冷媒入口３５１ａへ接続されており、減圧後の冷媒をその冷媒入口３５１ａへ流出させる。
【００２９】
冷媒吸熱部３４は、第２液媒体回路１６を循環する第２液媒体と冷媒とを熱交換させることで第２液媒体の熱を冷媒へ移動させる液冷却器３５で構成されている。この液冷却器３５は、第２液媒体と冷媒とを熱交換させることで第２液媒体を冷却すると共に冷媒を蒸発気化させる所謂チラーである。
【００３０】
また、液冷却器３５は、第２液媒体と冷媒とを熱交換させるために、冷媒入口３５１ａと冷媒出口３５１ｂとを有する冷媒流通部３５１と、液媒体入口３５２ａと液媒体出口３５２ｂとを有する第２液媒体流通部３５２とを有している。その冷媒流通部３５１および第２液媒体流通部３５２は一体に構成されている。
【００３１】
液冷却器３５の冷媒入口３５１ａには、減圧部３２から流出した低圧の冷媒が流入し、液冷却器３５は、その減圧部３２から冷媒流通部３５１へ流入した冷媒と第２液媒体流通部３５２を流れる第２液媒体とを熱交換させる。要するに、液冷却器３５は、第２液媒体から冷媒に吸熱させ、それにより冷媒を蒸発させる。そして、その吸熱後の冷媒を冷媒出口３５１ｂから流出させる。液冷却器３５の冷媒出口３５１ｂは圧縮機２４の吸入口２４ａへ接続されており、圧縮機２４は、その冷媒出口３５１ｂから流出した冷媒を吸入口２４ａから吸い込む。
【００３２】
以上のように構成されたヒートポンプ１２では、圧縮機２４から吐出される冷媒は「圧縮機２４の吐出口２４ｂ→液加熱器２７の冷媒流通部２７１→減圧部３２→液冷却器３５の冷媒流通部３５１→圧縮機２４の吸入口２４ａ」の順に流れる。
【００３３】
第１液媒体回路１４は、回路切替装置１９の作動に応じて冷熱体２２へ接続される液媒体回路である。例えば第１液媒体回路１４が冷熱体２２へ接続されれば、その冷熱体２２は、第１液媒体に対し熱の授受を行う。その冷熱体２２は、加熱対象または冷却対象になり且つ車両に搭載された車載機器である。
【００３４】
例えば本実施形態の冷熱体２２は、熱を発する熱源である。従って、エンジン、走行用モータ、インバータ、または電気ヒータ等が本実施形態の冷熱体２２に該当する。
【００３５】
図１に示すように、第１液媒体回路１４は、第１ウォータポンプ３８およびヒータコア４０等から構成されている。
【００３６】
第１ウォータポンプ３８は、電子制御装置２０によって回転数が制御される電動ポンプであり、第１液媒体回路１４において第１液媒体を循環させる。例えば、第１ウォータポンプ３８の回転数が高くなるほど、第１液媒体回路１４において循環する第１液媒体の流量が増加する。すなわち、第１ウォータポンプ３８は、第１液媒体回路１４で第１液媒体の流量を増減する第１流量増減装置として機能する。
【００３７】
具体的に、第１ウォータポンプ３８は吸入口３８ａと吐出口３８ｂとを有し、吸入口３８ａから第１ウォータポンプ３８内に第１液媒体を吸い込むと共に、その吸い込んだ第１液媒体を吐出口３８ｂから吐出する。その第１ウォータポンプ３８の吐出口３８ｂには、ヒータコア４０の液媒体入口４０ａが接続されている。
【００３８】
ヒータコア４０は、例えば車室内に設置され車室内の空調を行う空調ユニット内に設けられており、その空調ユニットから吹き出される空調空気ＡＲ１を加熱する加熱用熱交換器である。すなわち、ヒータコア４０は、第１液媒体と空調空気ＡＲ１とを熱交換させることで第１液媒体の熱を空調空気ＡＲ１へ移動させる放熱器である。
【００３９】
具体的に、ヒータコア４０は液媒体入口４０ａと液媒体出口４０ｂとを有している。その液媒体入口４０ａには、第１ウォータポンプ３８から吐出された第１液媒体が流入し、ヒータコア４０は、その第１ウォータポンプ３８から流入した第１液媒体と空調ユニット内を流れる空調空気ＡＲ１とを熱交換させる。この熱交換により、ヒータコア４０は、空調空気ＡＲ１を加熱すると共に第１液媒体を冷却する。そして、その熱交換後の第１液媒体を液媒体出口４０ｂから流出させる。そのヒータコア４０の液媒体出口４０ｂは液加熱器２７の液媒体入口２７２ａへ接続されている。
【００４０】
その液加熱器２７のうち第１液媒体流通部２７２は第１液媒体回路１４に設けられており、液加熱器２７の液媒体入口２７２ａには、ヒータコア４０の液媒体出口４０ｂから流出した第１液媒体が流入する。
【００４１】
そして、液加熱器２７は、冷媒と熱交換した後の第１液媒体を液媒体出口２７２ｂから流出させる。その液加熱器２７の液媒体出口２７２ｂは、回路切替装置１９に含まれる第１開閉弁１９１を介して第１ウォータポンプ３８の吸入口３８ａへ接続されている。
【００４２】
このように構成された第１液媒体回路１４では、第１液媒体がヒータコア４０と液加熱器２７との間で循環するので、液加熱器２７は、冷媒流通部２７１を流れる冷媒の熱を、第１液媒体およびヒータコア４０を介して間接的に空調空気ＡＲ１へ放散させる。
【００４３】
第２液媒体回路１６は、回路切替装置１９の作動に応じて冷熱体２２へ接続される液媒体回路であって、上述した第１液媒体回路１４とは別の液媒体回路である。例えば第２液媒体回路１６が冷熱体２２へ接続されれば、その冷熱体２２は、第２液媒体に対し熱の授受を行う。
【００４４】
図１に示すように、第２液媒体回路１６は、第２ウォータポンプ４２および外気吸熱器４４等から構成されている。そして、第１液媒体回路１４と第２液媒体回路１６は互いに別々に設けられているので、第２液媒体回路１６は、第１液媒体回路１４に対して常に独立して設けられている。
【００４５】
第２ウォータポンプ４２は、電子制御装置２０によって回転数が制御される電動ポンプであり、第２液媒体回路１６において第２液媒体を循環させる。例えば、第２ウォータポンプ４２の回転数が高くなるほど、第２液媒体回路１６において循環する第２液媒体の流量が増加する。すなわち、第２ウォータポンプ４２は、第２液媒体回路１６で第２液媒体の流量を増減する第２流量増減装置として機能する。
【００４６】
具体的に、第２ウォータポンプ４２は吸入口４２ａと吐出口４２ｂとを有し、吸入口４２ａから第２ウォータポンプ４２内に第２液媒体を吸い込むと共に、その吸い込んだ第２液媒体を吐出口４２ｂから吐出する。その第２ウォータポンプ４２の吐出口４２ｂには、液冷却器３５の液媒体入口３５２ａが接続されている。
【００４７】
その液冷却器３５のうち第２液媒体流通部３５２は第２液媒体回路１６に設けられており、液冷却器３５の液媒体入口３５２ａには、第２ウォータポンプ４２から吐出された第２液媒体が流入する。
【００４８】
そして、液冷却器３５は、冷媒と熱交換した後の第２液媒体を液媒体出口３５２ｂから流出させる。その液冷却器３５の液媒体出口３５２ｂは、外気吸熱器４４の液媒体入口４４ａへ接続されている。
【００４９】
外気吸熱器４４は、車室外に設置された室外熱交換器であり、車室外の空気である外気ＡＲ２と第２液媒体とを熱交換させることで外気ＡＲ２の熱を第２液媒体へ移動させる。
【００５０】
また、空調システム１０は室外送風機４６を備えており、その室外送風機４６は外気吸熱器４４へ外気ＡＲ２を送風する。その室外送風機４６は、電子制御装置２０によって回転数が制御される電動の送風装置であり、例えば、室外送風機４６の回転数が高くなるほど、外気吸熱器４４へ供給される外気ＡＲ２の流量が増加する。すなわち、室外送風機４６は、外気吸熱器４４へ供給される外気ＡＲ２の流量を増減する風量増減装置として機能する。
【００５１】
具体的に、外気吸熱器４４は液媒体入口４４ａと液媒体出口４４ｂとを有している。その液媒体入口４４ａには、液冷却器３５の液媒体出口３５２ｂから流出した第２液媒体が流入し、外気吸熱器４４は、その液冷却器３５の第２液媒体流通部３５２から流入した第２液媒体と室外送風機４６に送風される外気ＡＲ２とを熱交換させる。この熱交換により、外気吸熱器４４は、外気ＡＲ２を冷却すると共に第２液媒体を加熱する。そして、その熱交換後の第２液媒体を液媒体出口４４ｂから流出させる。その外気吸熱器４４の液媒体出口４４ｂは、回路切替装置１９に含まれる第２開閉弁１９２を介して第２ウォータポンプ４２の吸入口４２ａへ接続されている。
【００５２】
冷熱体接続流路１８は、第１液媒体と第２液媒体とをそれぞれ冷熱体２２へ導く液媒体流路であり、第１上流側流路１８１と第１下流側流路１８２と第２上流側流路１８３と第２下流側流路１８４とを含んで構成されている。
【００５３】
また、回路切替装置１９は、冷熱体２２を第１液媒体回路１４と第２液媒体回路１６とに択一的に接続する接続切替装置である。すなわち、回路切替装置１９は、冷熱体２２を第１液媒体回路１４へ接続するか否かを切替え可能となっており、それと共に、その冷熱体２２を第２液媒体回路１６へ接続するか否かも切替え可能となっている。そして、回路切替装置１９は、第２液媒体回路１６への冷熱体２２の接続を遮断する場合には、冷熱体２２を第１液媒体回路１４へ接続する。逆に、回路切替装置１９は、冷熱体２２を第２液媒体回路１６へ接続する場合には、第１液媒体回路１４への冷熱体２２の接続を遮断する。
【００５４】
ここで、冷熱体２２を液媒体回路１４、１６へ接続することとは、熱源の接続であるので、冷熱体２２内の流路を液媒体回路１４、１６へ単に連通させるだけでなく、冷熱体２２で加熱された液媒体が液媒体回路１４、１６に循環するように接続することである。従って、液媒体回路１４、１６への冷熱体２２の接続を遮断することとは、冷熱体２２内の流路が液媒体回路１４、１６へ連通しているか否かに拘わらず、冷熱体２２で加熱された液媒体が液媒体回路１４、１６に循環することを実質的に止めることである。例えば、上記冷熱体２２の接続の遮断中に、冷熱体２２の温度検出のために少量の液媒体が冷熱体２２内の流路に流されても、冷熱体２２の接続が遮断されていることに変わりはない。
【００５５】
回路切替装置１９は、第１開閉弁１９１と第２開閉弁１９２と第１三方弁１９３と第２三方弁１９４とを含んで構成されている。
【００５６】
この回路切替装置１９は電子制御装置２０によって制御される。すなわち、回路切替装置１９を構成する４つの流路切替弁１９１〜１９４は何れも、電子制御装置２０によって制御される電動の弁機構で構成されている。
【００５７】
回路切替装置１９に含まれる第１開閉弁１９１は、第１液媒体回路１４において液加熱器２７の液媒体出口２７２ｂから第１ウォータポンプ３８の吸入口３８ａへ至る液媒体通路に設けられている。そして、第１開閉弁１９１は、その液加熱器２７の液媒体出口２７２ｂと第１ウォータポンプ３８の吸入口３８ａとの間を断接する。
【００５８】
第２開閉弁１９２は、第２液媒体回路１６において外気吸熱器４４の液媒体出口４４ｂから第２ウォータポンプ４２の吸入口４２ａへ至る液媒体通路に設けられている。そして、第２開閉弁１９２は、その外気吸熱器４４の液媒体出口４４ｂと第２ウォータポンプ４２の吸入口４２ａとの間を断接する。
【００５９】
第１三方弁１９３は、第１ポート１９３ａと第２ポート１９３ｂと第３ポート１９３ｃとを有している。その第１ポート１９３ａは第１上流側流路１８１を介して液加熱器２７の液媒体出口２７２ｂへ接続され、第２ポート１９３ｂは第２上流側流路１８３を介して外気吸熱器４４の液媒体出口４４ｂへ接続され、第３ポート１９３ｃは冷熱体２２の液媒体入口２２ａへ接続されている。そして、第１三方弁１９３は、第１ポート１９３ａを第３ポート１９３ｃへ連通させる一方で第２ポート１９３ｂを閉塞する第１切替状態と、第１ポート１９３ａを閉塞する一方で第２ポート１９３ｂを第３ポート１９３ｃへ連通させる第２切替状態とに択一的に切り替えられる。
【００６０】
第２三方弁１９４は、第１ポート１９４ａと第２ポート１９４ｂと第３ポート１９４ｃとを有している。その第１ポート１９４ａは第１下流側流路１８２を介して第１ウォータポンプ３８の吸入口３８ａへ接続され、第２ポート１９４ｂは第２下流側流路１８４を介して第２ウォータポンプ４２の吸入口４２ａへ接続され、第３ポート１９３ｃは冷熱体２２の液媒体出口２２ｂへ接続されている。そして、第２三方弁１９４は、第１ポート１９４ａを第３ポート１９４ｃへ連通させる一方で第２ポート１９４ｂを閉塞する第１切替状態と、第１ポート１９４ａを閉塞する一方で第２ポート１９４ｂを第３ポート１９４ｃへ連通させる第２切替状態とに択一的に切り替えられる。
【００６１】
冷熱体２２は、液媒体入口２２ａと液媒体出口２２ｂとを有している。冷熱体２２は、液媒体入口２２ａから流入した第１または第２液媒体と冷熱体２２自体が熱の授受を行う冷熱源である。冷熱体２２は、液媒体入口２２ａから流入した第１または第２液媒体と熱の授受を行った後、その液媒体を液媒体出口２２ｂから流出させる。
【００６２】
また、図１に示すように、空調システム１０は、第１液媒体温度センサ４８、第２液媒体温度センサ５０、冷熱体温度センサ５２、第２液媒体流量センサ５４、低圧側冷媒圧力センサ５６、および、外気温度センサ５７を備えている。その外気温度センサ５７は、外気ＡＲ２の温度Ｔａすなわち外気温度Ｔａを検出する。
【００６３】
電子制御装置２０には、それらのセンサ４８、５０、５２、５４、５６、５７から検出値を示す信号が逐次入力される。また、電子制御装置２０は、例えば圧縮機２４、第１ウォータポンプ３８、および第２ウォータポンプ４２のそれぞれに対しそれらを制御するための制御信号を逐次出力する。
【００６４】
第１液媒体温度センサ４８は、第１液媒体回路１４を循環する第１液媒体の温度ＴＨすなわち第１液媒体温度ＴＨを検出する。その第１液媒体温度ＴＨはそれの検出場所が定まっていれば第１液媒体回路１４の何れの箇所で検出されても良いが、本実施形態では、第１液媒体温度センサ４８は、液加熱器２７の液媒体入口２７２ａにてその第１液媒体温度ＴＨを検出する。
【００６５】
また、第２液媒体温度センサ５０は、第２液媒体回路１６を循環する第２液媒体の温度ＴＬすなわち第２液媒体温度ＴＬを検出する。その第２液媒体温度ＴＬはそれの検出場所が定まっていれば第２液媒体回路１６の何れの箇所で検出されても良いが、本実施形態では、第２液媒体温度センサ５０は、液冷却器３５の液媒体入口３５２ａにてその第２液媒体温度ＴＬを検出する。
【００６６】
また、冷熱体温度センサ５２は、冷熱体２２の温度Ｔｓすなわち冷熱体温度Ｔｓを検出する。その冷熱体温度Ｔｓは冷熱体２２の何れの箇所で測定されてもよいが、本実施形態では、冷熱体接続流路１８を流れる第１液媒体または第２液媒体の温度が冷熱体温度Ｔｓとして検出される。例えば図１に示すように、冷熱体温度センサ５２は、液媒体出口２２ｂでの第１液媒体または第２液媒体の温度を冷熱体温度Ｔｓとして検出する。
【００６７】
また、第２液媒体流量センサ５４は、第２液媒体回路１６を流れる第２液媒体の流量Ｖｗｌすなわち第２液媒体流量Ｖｗｌを検出する。その第２液媒体流量Ｖｗｌはそれの検出場所が定まっていれば第２液媒体回路１６の何れの箇所で検出されても良いが、本実施形態では、第２液媒体流量センサ５４は、第２ウォータポンプ４２の吐出口４２ｂにてその第２液媒体流量Ｖｗｌを検出する。
【００６８】
また、低圧側冷媒圧力センサ５６は、ヒートポンプ１２の冷凍サイクルにおいて減圧部３２で減圧された後の低圧側冷媒圧力Ｐｓを検出する。その低圧側冷媒圧力Ｐｓは、減圧部３２から圧縮機２４の吸入口２４ａに至るまでの冷媒経路の何れの箇所で検出されても良いが、本実施形態では、低圧側冷媒圧力センサ５６は、減圧部３２から液冷却器３５の冷媒入口３５１ａまでの間にて低圧側冷媒圧力Ｐｓを検出する。
【００６９】
図１に示す電子制御装置２０は、不図示のＣＰＵ、ＲＯＭ、ＲＡＭ等からなるマイクロコンピータで構成されている。電子制御装置２０に接続されたセンサ等からの信号は、不図示の入力回路によってＡ／Ｄ変換された後にマイクロコンピュータに入力されるように構成されている。そして、電子制御装置２０は、種々の空調制御を実行する空調制御装置として機能し、その空調制御の１つとして、回路切替装置１９を作動させることにより冷熱体２２を第１液媒体回路１４と第２液媒体回路１６とへ択一的に接続する冷熱体切替制御を実行する。
【００７０】
図２は、その冷熱体切替制御を実行するための制御処理を示すフローチャートである。電子制御装置２０は、例えば車両のイグニッションスイッチがオンにされると図２の制御処理を開始し、その図２の制御処理を周期的に繰り返し実行する。なお、図２の制御処理の実行中には特に断りが無い限り、例えば、圧縮機２４が作動し空調空気ＡＲ１が空調ユニットから吹き出される空調運転が行われており、第１ウォータポンプ３８、第２ウォータポンプ４２、および室外送風機４６は作動している。このことは後述の実施形態で実行される制御処理でも同様である。
【００７１】
図２に示すように、電子制御装置２０は、まず、ステップＳ１０１にて、冷熱体温度Ｔｓおよび第１液媒体温度ＴＨを取得する。そして、その冷熱体温度Ｔｓが第１液媒体温度ＴＨ以下であるか否かを判定する。
【００７２】
ステップＳ１０１において、冷熱体温度Ｔｓが第１液媒体温度ＴＨ以下であると判定した場合には、ステップＳ１０２へ進む。その一方で、冷熱体温度Ｔｓが第１液媒体温度ＴＨよりも高いと判定した場合には、ステップＳ１０４へ進む。
【００７３】
ステップＳ１０２では、外気吸熱器４４に霜が付着しているか否か、すなわち外気吸熱器４４が着霜しているか否かを、所定の物理量に基づいて推定する。その所定の物理量とは、外気吸熱器４４における熱に関連する物理量であり、例えば第２液媒体温度ＴＬと低圧側冷媒圧力Ｐｓと第２液媒体流量Ｖｗｌとのうちの何れかである。
【００７４】
本実施形態では、第２液媒体温度ＴＬが予め定められた温度閾値Ｔｉ以下である場合、低圧側冷媒圧力Ｐｓが予め定められた冷媒圧力閾値Ｐｉ以下である場合、または、第２液媒体流量Ｖｗｌが予め定められた液媒体流量閾値Ｖｉ以下である場合に、外気吸熱器４４が着霜していると推定する。上記の各閾値Ｔｉ、Ｐｉ、Ｖｉは、外気吸熱器４４の着霜の有無を判定できるように予め実験的に定められている。
【００７５】
このステップＳ１０２では、第２液媒体温度ＴＬ、低圧側冷媒圧力Ｐｓ、および第２液媒体流量Ｖｗｌを取得した上で、外気吸熱器４４が着霜しているか否かを推定する。
【００７６】
ステップＳ１０２において、外気吸熱器４４が着霜していると推定された場合には、ステップＳ１０３へ進む。その一方で、外気吸熱器４４が着霜してはいないと推定された場合には、ステップＳ１０４へ進む。
【００７７】
ステップＳ１０３では、回路切替装置１９を作動させることにより、冷熱体２２を第２液媒体回路１６へ接続する。既に冷熱体２２が第２液媒体回路１６へ接続されている場合にはそれを継続する。具体的には、図１に示す第１開閉弁１９１を開弁させる一方で第２開閉弁１９２を閉弁させる。そして、第１三方弁１９３および第２三方弁１９４をそれぞれ第２切替状態に切り替える。
【００７８】
これにより、第１液媒体は冷熱体２２へ流れず、第１ウォータポンプ３８から吐出される第１液媒体は「第１ウォータポンプ３８の吐出口３８ｂ→ヒータコア４０→液加熱器２７の第１液媒体流通部２７２→第１開閉弁１９１→第１ウォータポンプ３８の吸入口３８ａ」の順に流れる。
【００７９】
その一方で、第２ウォータポンプ４２から吐出される第２液媒体は「第２ウォータポンプ４２の吐出口４２ｂ→液冷却器３５の第２液媒体流通部３５２→外気吸熱器４４→第１三方弁１９３→冷熱体２２→第２三方弁１９４→第２ウォータポンプ４２の吸入口４２ａ」の順に流れる。従って、冷熱体２２の熱は第２液媒体へ移動させられる。間接的には、その冷熱体２２の熱は、その第２液媒体および液冷却器３５を介して、ヒートポンプ１２を循環する冷媒へと移動させられる。また、第２ウォータポンプ４２によって第２液媒体の流量が大きくされるほど、冷熱体２２と第２液媒体との間の熱移動量は大きくなる。
【００８０】
図２のステップＳ１０４では、回路切替装置１９を作動させることにより、冷熱体２２を第１液媒体回路１４へ接続する。既に冷熱体２２が第１液媒体回路１４へ接続されている場合にはそれを継続する。具体的には、図１に示す第１開閉弁１９１を閉弁させる一方で第２開閉弁１９２を開弁させる。そして、第１三方弁１９３および第２三方弁１９４をそれぞれ第１切替状態に切り替える。
【００８１】
これにより、第２液媒体は冷熱体２２へ流れず、第２ウォータポンプ４２から吐出される第２液媒体は「第２ウォータポンプ４２の吐出口４２ｂ→液冷却器３５の第２液媒体流通部３５２→外気吸熱器４４→第２開閉弁１９２→第２ウォータポンプ４２の吸入口４２ａ」の順に流れる。
【００８２】
その一方で、第１ウォータポンプ３８から吐出される第１液媒体は「第１ウォータポンプ３８の吐出口３８ｂ→ヒータコア４０→液加熱器２７の第１液媒体流通部２７２→第１三方弁１９３→冷熱体２２→第２三方弁１９４→第１ウォータポンプ３８の吸入口３８ａ」の順に流れる。従って、冷熱体２２へ流入する第１液媒体の温度よりも冷熱体温度Ｔｓの方が高ければ、冷熱体２２の熱は第１液媒体へ移動させられる。間接的には、その冷熱体２２の熱は、その第１液媒体およびヒータコア４０を介して、ヒータコア４０を通過する空調空気ＡＲ１へと移動させられる。また、第１ウォータポンプ３８によって第１液媒体の流量が大きくされるほど、冷熱体２２と第１液媒体との間の熱移動量は大きくなる。
【００８３】
また、図２のステップＳ１０３またはＳ１０４の次はステップＳ１０１へ戻り、図２の制御処理は、再びステップＳ１０１から開始する。
【００８４】
なお、上述した図２の各ステップでの処理は、それぞれの機能を実現する機能部を構成している。後述する図５、図６、図８、図９、図１１、図１２、図１４〜１６、図２６、および図２７のフローチャートでも同様である。また、図２のステップＳ１０２は推定部に対応し、ステップＳ１０３およびＳ１０４は切替制御部に対応する。
【００８５】
上述したように本実施形態によれば、第１液媒体回路１４には冷媒放熱部２６で冷媒と熱交換させられる第１液媒体が循環し、第２液媒体回路１６には冷媒吸熱部３４で冷媒と熱交換させられる第２液媒体が循環する。そして、その第１液媒体回路１４および第２液媒体回路１６は各々、回路切替装置１９の切替作動に応じて冷熱体２２へ接続される。従って、その冷熱体２２と第１または第２液媒体との熱の授受により、空調システム１０の暖房性能の向上を図ることが可能である。
【００８６】
また、本実施形態によれば図２に示すように、電子制御装置２０は、外気吸熱器４４における熱に関連する所定の物理量に基づいて、冷熱体２２を第２液媒体回路１６へ接続するか否かの切替えを回路切替装置１９に行わせる。詳細には、電子制御装置２０は、その所定の物理量に基づき、外気吸熱器４４が着霜していると推定された場合には、回路切替装置１９に冷熱体２２を第２液媒体回路１６へ接続させる。従って、冷熱体２２の熱を適宜利用して、外気吸熱器４４の着霜を解消し又はその着霜を予防することが可能である。
【００８７】
なお、外気吸熱器４４の着霜を未然防止する観点から、上記所定の物理量に基づき、外気吸熱器４４が着霜していると推定される前に、電子制御装置２０が、回路切替装置１９に冷熱体２２を第２液媒体回路１６へ接続させことも想定される。
【００８８】
ところで、空調システム１０の暖房運転において、ヒートポンプ運転のみでの暖房では使用電力の低減は図れるが、そもそもの性能不足が深刻である。一方、電気ヒータ等の別熱源を利用した暖房のみでは使用電力が大きく、電気自動車やプラグインハイブリッド車両等の走行可能距離が小さくなるなどの事態を生じ得る。従って、別熱源とヒートポンプ１２との最適な組み合わせを見出すことが必要とされる。
【００８９】
例えば本実施形態において、図３に示すような試算結果が得られている。図３は、通常域（具体的には、外気温度が０℃〜−２０℃で且つ外気吸熱器４４の非着霜時）と、外気吸熱器４４の着霜時または外気温度が極低温（例えば−３０℃以下）になる極低温時とのそれぞれにおける暖房熱量の試算結果を示した図表である。この図３において暖房熱量は、冷熱体２２からの熱量を第１液媒体回路１４へ導入した場合と第２液媒体回路１６へ導入した場合とでそれぞれ試算されている。なお、簡潔な試算を行うために、空調システム１０外への熱の漏れは無いものして図３の暖房熱量は試算されている。暖房熱量とは、ヒータコア４０で空調空気ＡＲ１へ与えられる熱量である。
【００９０】
この図３から判るように、通常域においては、高温水回路側すなわち第１液媒体回路１４側に冷熱体２２の熱を導入した場合の方が、低温水回路側すなわち第２液媒体回路１６側にその熱を導入した場合よりも、暖房熱量を高める効果は大きい。しかし、極低温時または着霜時つまり第２液媒体が凝固点付近にある場合においては、第２液媒体回路１６側に冷熱体２２の熱を導入した場合の方が、第１液媒体回路１４側にその熱を導入した場合よりも、暖房熱量を高める効果は大きい。
【００９１】
このような図３に示される試算結果を踏まえ、本実施形態によれば、電子制御装置２０は、外気吸熱器４４が着霜してはいないと推定した場合には、回路切替装置１９に冷熱体２２を第１液媒体回路１４へ接続させ、それにより、その冷熱体２２の熱を第１液媒体へ移動させる。逆に、外気吸熱器４４が着霜していると推定した場合には、回路切替装置１９に冷熱体２２を第２液媒体回路１６へ接続させ、それにより、冷熱体２２の熱を第２液媒体へ移動させる。
【００９２】
そのため、例えば回路切替装置１９が無く冷熱体２２が第１液媒体回路１４へ常に接続されている構成と比較して、暖房熱量（図３参照）を高める効果を大きく得ることが可能である。また、図３から判るように、外気吸熱器４４の着霜時または極低温時にヒートポンプ１２の停止すなわち圧縮機２４の停止を回避することができるので、暖房熱量として最低限の熱量を得ることが可能である。
【００９３】
なお、上記のように冷熱体２２の熱は回路切替装置１９の切替作動に応じて第１液媒体または第２液媒体へ移動させられる。しかしながら、これは一例であり、その冷熱体２２が第１液媒体および第２液媒体へ放散する熱のうちの少なくとも一部の移動先が回路切替装置１９の切替作動に応じて第１液媒体と第２液媒体とへ択一的に切り替わるだけでもよい。
【００９４】
（第２実施形態）
次に、第２実施形態について説明する。本実施形態では、前述の第１実施形態と異なる点を主として説明する。また、前述の実施形態と同一または均等な部分については省略または簡略化して説明する。このことは後述の実施形態でも同様である。
【００９５】
図４は、本実施形態の空調システム１０の全体構成を示した回路図であって、第１実施形態の図１に相当する図である。図４に示すように、本実施形態では、冷熱体２２、５８が２つ設けられており、この点が第１実施形態と異なる。また、回路切替装置１９および冷媒吸熱部３４も第１実施形態と異なる。
【００９６】
また、本実施形態でも第１実施形態と同様に、第２液媒体回路１６は、第１液媒体回路１４に対して独立して設けられており、このことは後述の実施形態でも同様である。
【００９７】
なお、２つの冷熱体２２、５８のうちの一方を第１冷熱体２２と呼び、他方を第２冷熱体５８と呼ぶものとする。その第１熱源としての第１冷熱体２２および第２熱源としての第２冷熱体５８は何れも、第１実施形態の冷熱体２２（図１参照）と同様に、熱を発する熱源であって、車両に搭載されている。
【００９８】
また、本実施形態では第１実施形態と同様に空調システム１０は電子制御装置２０およびセンサ類を備えているが、図４では、電子制御装置２０およびセンサ類の図示が省略されている。このことは、後述の図７、図１０、および図１３でも同様である。
【００９９】
具体的には図４に示すように、ヒートポンプ１２の冷媒吸熱部３４は、液冷却器３５に加え、その液冷却器３５の冷媒流通部３５１に対し直列に接続された冷媒蒸発器３６を含んで構成されている。この冷媒蒸発器３６は、車室内に設置されることもあり得るが、本実施形態では、第１実施形態の外気吸熱器４４（図１参照）と同様に車室外に設置されている。すなわち、冷媒蒸発器３６は、冷媒に外気ＡＲ２から吸熱させる室外吸熱器である。冷媒蒸発器３６は、液冷却器３５の冷媒流通部３５１に対し冷媒流れ上流側に設けられており、冷媒入口３６ａと冷媒出口３６ｂとを有している。
【０１００】
冷媒蒸発器３６の冷媒入口３６ａは減圧部３２に接続され、冷媒蒸発器３６の冷媒出口３６ｂは液冷却器３５の冷媒入口３５１ａに接続されている。冷媒蒸発器３６は、冷媒蒸発器３６内の冷媒と冷媒蒸発器３６を通過する外気ＡＲ２とを熱交換させることでその外気ＡＲ２の熱を冷媒へ移動させる。すなわち、冷媒蒸発器３６は、冷媒と外気ＡＲ２とを熱交換させることで外気ＡＲ２を冷却すると共に冷媒を蒸発させる。その熱交換後の冷媒は、冷媒蒸発器３６の冷媒出口３６ｂから液冷却器３５の冷媒入口３５１ａへ流れる。
【０１０１】
従って、本実施形態のヒートポンプ１２では、圧縮機２４から吐出される冷媒は「圧縮機２４の吐出口２４ｂ→液加熱器２７の冷媒流通部２７１→減圧部３２→冷媒蒸発器３６→液冷却器３５の冷媒流通部３５１→圧縮機２４の吸入口２４ａ」の順に流れる。
【０１０２】
また、第１液媒体回路１４では、第１ウォータポンプ３８から吐出される第１液媒体は「第１ウォータポンプ３８の吐出口３８ｂ→ヒータコア４０→液加熱器２７の第１液媒体流通部２７２→第１ウォータポンプ３８の吸入口３８ａ」の順に流れる。そして、回路切替装置１９の切替に応じて、第１冷熱体２２および第２冷熱体５８の一方または両方が液加熱器２７の第１液媒体流通部２７２と並列に接続される。
【０１０３】
第１冷熱体２２は、第１液媒体または第２液媒体が流入する液媒体入口２２ａと、第１液媒体または第２液媒体が流出する液媒体出口２２ｂとを有している。また、第２冷熱体５８は、第１液媒体または第２液媒体が流入する液媒体入口５８ａと、第１液媒体または第２液媒体が流出する液媒体出口５８ｂとを有している。
【０１０４】
回路切替装置１９は、第１三方弁１９３および第２三方弁１９４に加え、第３三方弁１９５と第４三方弁１９６とを備えている。但し、図４に示すように回路切替装置１９は、第１実施形態とは異なり、第１開閉弁１９１および第２開閉弁１９２（図１参照）を備えていない。
【０１０５】
第３三方弁１９５および第４三方弁１９６は、第１三方弁１９３および第２三方弁１９４と同様の流路切替弁であり、電子制御装置２０によって制御される電動の弁機構で構成されている。そして、第３三方弁１９５も第１ポート１９５ａと第２ポート１９５ｂと第３ポート１９５ｃとを有し、第４三方弁１９６も第１ポート１９６ａと第２ポート１９６ｂと第３ポート１９６ｃとを有している。
【０１０６】
本実施形態では第１三方弁１９３の第１ポート１９３ａは、第１液媒体回路１４のうちヒータコア４０の液媒体出口４０ｂから液加熱器２７の液媒体出口２７２ｂへ至る液媒体通路へ接続されている。第１三方弁１９３の第２ポート１９３ｂは液冷却器３５の液媒体出口３５２ｂへ接続されている。第１三方弁１９３の第３ポート１９３ｃは第１冷熱体２２の液媒体入口２２ａへ接続されている。そして、第１三方弁１９３は、上述した第１切替状態と第２切替状態とに択一的に切り替えられる。
【０１０７】
また、第２三方弁１９４の第１ポート１９４ａは、第１液媒体回路１４のうち液加熱器２７の液媒体出口２７２ｂから第１ウォータポンプ３８の吸入口３８ａへ至る液媒体通路へ接続されている。第２三方弁１９４の第２ポート１９４ｂは第２ウォータポンプ４２の吸入口４２ａへ接続されている。第２三方弁１９４の第３ポート１９４ｃは第１冷熱体２２の液媒体出口２２ｂへ接続されている。そして、第２三方弁１９４は、上述した第１切替状態と第２切替状態とに択一的に切り替えられる。
【０１０８】
また、第３三方弁１９５の第１ポート１９５ａは、第１液媒体回路１４のうちヒータコア４０の液媒体出口４０ｂから液加熱器２７の液媒体出口２７２ｂへ至る液媒体通路へ接続されている。第３三方弁１９５の第２ポート１９５ｂは液冷却器３５の液媒体出口３５２ｂへ接続されている。第３三方弁１９５の第３ポート１９５ｃは第２冷熱体５８の液媒体入口５８ａへ接続されている。そして、第３三方弁１９５は、第１ポート１９５ａを第３ポート１９５ｃへ連通させる一方で第２ポート１９５ｂを閉塞する第１切替状態と、第１ポート１９５ａを閉塞する一方で第２ポート１９５ｂを第３ポート１９５ｃへ連通させる第２切替状態とに択一的に切り替えられる。
【０１０９】
また、第４三方弁１９６の第１ポート１９６ａは、第１液媒体回路１４のうち液加熱器２７の液媒体出口２７２ｂから第１ウォータポンプ３８の吸入口３８ａへ至る液媒体通路へ接続されている。第４三方弁１９６の第２ポート１９６ｂは第２ウォータポンプ４２の吸入口４２ａへ接続されている。第４三方弁１９６の第３ポート１９６ｃは第２冷熱体５８の液媒体出口５８ｂへ接続されている。そして、第４三方弁１９６は、第１ポート１９６ａを第３ポート１９６ｃへ連通させる一方で第２ポート１９６ｂを閉塞する第１切替状態と、第１ポート１９６ａを閉塞する一方で第２ポート１９６ｂを第３ポート１９６ｃへ連通させる第２切替状態とに択一的に切り替えられる。
【０１１０】
本実施形態の電子制御装置２０は、第１実施形態と同様に冷熱体切替制御を実行する。但し、本実施形態では冷熱体２２、５８が２つ設けられているので、図５の制御処理と図６の制御処理とが並列して周期的に繰り返し実行される。
【０１１１】
図５は、第１冷熱体２２について冷熱体切替制御を実行するための制御処理を示すフローチャートであって、第１実施形態の図２に相当する図である。また、図６は、第２冷熱体５８について冷熱体切替制御を実行するための制御処理を示すフローチャートであって、第１実施形態の図２に相当する図である。
【０１１２】
また、図５および図６のフローチャートは図２のフローチャートと同様の構成となっている。具体的には、図５のステップＳ２０１および図６のステップＳ３０１は図２のステップＳ１０１に対応し、図５のステップＳ２０２および図６のステップＳ３０２は図２のステップＳ１０２に対応し、図５のステップＳ２０３および図６のステップＳ３０３は図２のステップＳ１０３に対応し、図５のステップＳ２０４および図６のステップＳ３０４は図２のステップＳ１０４に対応する。先ず、図５の制御処理から説明する。
【０１１３】
図５のステップＳ２０１では、図２のステップＳ１０１で用いられる冷熱体温度Ｔｓが第１冷熱体温度Ｔｓ１に置き換わっており、それ以外は図２のステップＳ１０１と同じである。その第１冷熱体温度Ｔｓ１は、本実施形態の第１冷熱体２２の温度であり、例えば第１実施形態の冷熱体温度Ｔｓと同様にして検出される。
【０１１４】
図５のステップＳ２０１において、第１冷熱体温度Ｔｓ１が第１液媒体温度ＴＨ以下であると判定した場合には、ステップＳ２０２へ進む。その一方で、第１冷熱体温度Ｔｓ１が第１液媒体温度ＴＨよりも高いと判定した場合には、ステップＳ２０４へ進む。
【０１１５】
図５のステップＳ２０２は図２のステップＳ１０２と同様である。すなわち、ステップＳ２０２では、冷媒蒸発器３６に霜が付着しているか否か、すなわち冷媒蒸発器３６が着霜しているか否かを、所定の物理量に基づいて推定する。その所定の物理量とは、第２液媒体温度ＴＬと低圧側冷媒圧力Ｐｓと第２液媒体流量Ｖｗｌとのうちの何れかである。本実施形態では、第２液媒体温度ＴＬが予め定められた温度閾値Ｔｉ以下である場合、低圧側冷媒圧力Ｐｓが予め定められた冷媒圧力閾値Ｐｉ以下である場合、または、第２液媒体流量Ｖｗｌが予め定められた液媒体流量閾値Ｖｉ以下である場合に、冷媒蒸発器３６が着霜していると推定する。本実施形態の各閾値Ｔｉ、Ｐｉ、Ｖｉは、冷媒蒸発器３６の着霜の有無を判定できるように予め実験的に定められている。なお、本実施形態では第２ウォータポンプ４２が停止されている場合もあり、その場合には第２液媒体流量Ｖｗｌについての判定はなされない。
【０１１６】
ステップＳ２０２において、冷媒蒸発器３６が着霜していると推定された場合には、ステップＳ２０３へ進む。その一方で、冷媒蒸発器３６が着霜してはいないと推定された場合には、ステップＳ２０４へ進む。
【０１１７】
ステップＳ２０３では、回路切替装置１９を作動させることにより、第１冷熱体２２を第２液媒体回路１６へ接続する。既に第１冷熱体２２が第２液媒体回路１６へ接続されている場合にはそれを継続する。具体的には、図４に示す第１三方弁１９３および第２三方弁１９４をそれぞれ第２切替状態に切り替える。
【０１１８】
これにより、第１液媒体は第１冷熱体２２へ流れない。その一方で、第２ウォータポンプ４２から吐出される第２液媒体は「第２ウォータポンプ４２の吐出口４２ｂ→液冷却器３５の第２液媒体流通部３５２→第１三方弁１９３→第１冷熱体２２→第２三方弁１９４→第２ウォータポンプ４２の吸入口４２ａ」の順に流れる。従って、第１冷熱体２２の熱は第２液媒体へ移動させられる。
【０１１９】
図５のステップＳ２０４では、回路切替装置１９を作動させることにより、第１冷熱体２２を第１液媒体回路１４へ接続する。既に第１冷熱体２２が第１液媒体回路１４へ接続されている場合にはそれを継続する。具体的には、図４に示す第１三方弁１９３および第２三方弁１９４をそれぞれ第１切替状態に切り替える。
【０１２０】
これにより、第２液媒体は第１冷熱体２２へ流れない。その一方で、第１冷熱体２２は液加熱器２７の第１液媒体流通部２７２と並列になるように第１液媒体回路１４へ接続される。そして、ヒータコア４０から流出する第１液媒体の一部が「ヒータコア４０の液媒体出口４０ｂ→第１三方弁１９３→第１冷熱体２２→第２三方弁１９４→第１ウォータポンプ３８の吸入口３８ａ」の順に流れる。従って、第１冷熱体２２へ流入する第１液媒体の温度よりも第１冷熱体温度Ｔｓ１の方が高ければ、第１冷熱体２２の熱は第１液媒体へ移動させられる。
【０１２１】
また、ステップＳ２０３またはＳ２０４の次はステップＳ２０１へ戻り、図５の制御処理は、再びステップＳ２０１から開始する。
【０１２２】
次に、図６の制御処理を説明する。図６の制御処理は上記の図５の制御処理と基本的に同様である。すなわち、図６のステップＳ３０１、Ｓ３０２、Ｓ３０３、Ｓ３０４は図５のステップＳ２０１、Ｓ２０２、Ｓ２０３、Ｓ２０４とそれぞれ同様である。
【０１２３】
但し、図６の制御処理では、図５の制御処理における第１冷熱体２２が第２冷熱体５８へ置き換わり、第１三方弁１９３が第３三方弁１９５へ置き換わり、第２三方弁１９４が第４三方弁１９６へ置き換わり、第１冷熱体温度Ｔｓ１が第２冷熱体温度Ｔｓ２に置き換わる。その第２冷熱体温度Ｔｓ２は、本実施形態の第２冷熱体５８の温度であり、例えば第１実施形態の冷熱体温度Ｔｓと同様にして検出される。
【０１２４】
なお、図４に示す第１〜４三方弁１９３、１９４、１９５、１９６の全部が第１切替状態に切り替えられた場合には、第２液媒体は２つの冷熱体２２、５８の何れにも流通できなくなるので、第２ウォータポンプ４２は停止させられる。また、図５のステップＳ２０３、Ｓ２０４および図６のステップＳ３０３、Ｓ３０４は切替制御部に対応する。
【０１２５】
本実施形態では、前述の第１実施形態と共通の構成から奏される効果を第１実施形態と同様に得ることができる。
【０１２６】
（第３実施形態）
次に、第３実施形態について説明する。本実施形態では、前述の第２実施形態と異なる点を主として説明する。
【０１２７】
図７は、本実施形態の空調システム１０の全体構成を示した回路図であって、第２実施形態の図４に相当する図である。図７に示すように、本実施形態では、ヒートポンプ１２の冷媒放熱部２６および冷媒吸熱部３４が第２実施形態と異なる。また、各三方弁１９３、１９４、１９５、１９６の接続先も第２実施形態とは異なる。
【０１２８】
具体的には図７に示すように、本実施形態のヒートポンプ１２に含まれる冷媒放熱部２６は、液加熱器２７に加え、その液加熱器２７の冷媒流通部２７１に対し直列に接続されたコンデンサ２８を含んで構成されている。このコンデンサ２８は、第１実施形態のヒータコア４０（図１参照）と同様に上述の空調ユニット内に設けられている。コンデンサ２８は、液加熱器２７の冷媒流通部２７１に対し冷媒流れ上流側に設けられており、冷媒入口２８ａと冷媒出口２８ｂとを有している。
【０１２９】
コンデンサ２８の冷媒入口２８ａは圧縮機２４の吐出口２４ｂに接続され、コンデンサ２８の冷媒出口２８ｂは液加熱器２７の冷媒入口２７１ａに接続されている。コンデンサ２８は、コンデンサ２８内の冷媒とコンデンサ２８を通過する空調空気ＡＲ１とを熱交換させることでその冷媒の熱を空調空気ＡＲ１へ移動させる室内放熱器である。すなわち、コンデンサ２８は、冷媒と空調空気ＡＲ１とを熱交換させることで空調空気ＡＲ１を加熱すると共に冷媒を凝縮させる。その熱交換後の冷媒は、コンデンサ２８の冷媒出口２８ｂから液加熱器２７の冷媒入口２７１ａへ流れる。
【０１３０】
また、図７の第１液媒体回路１４はヒータコア４０を有しておらず、第１ウォータポンプ３８が吐出した第１液媒体は液加熱器２７の第１液媒体流通部２７２へ流入する。
【０１３１】
また、本実施形態のヒートポンプ１２に含まれる冷媒吸熱部３４は、図１に示す第１実施形態の冷媒吸熱部３４と同様に、液冷却器３５を有する一方で冷媒蒸発器３６（図４参照）を有していない。従って、図７の第２液媒体回路１６は、第１実施形態の第２液媒体回路１６と同様に外気吸熱器４４を有している。
【０１３２】
以上より、本実施形態のヒートポンプ１２では、圧縮機２４から吐出される冷媒は「圧縮機２４の吐出口２４ｂ→コンデンサ２８→液加熱器２７の冷媒流通部２７１→減圧部３２→液冷却器３５の冷媒流通部３５１→圧縮機２４の吸入口２４ａ」の順に流れる。
【０１３３】
また、第２液媒体回路１６では、第２ウォータポンプ４２から吐出される第２液媒体は「第２ウォータポンプ４２の吐出口４２ｂ→液冷却器３５の第２液媒体流通部３５２→外気吸熱器４４→第２ウォータポンプ４２の吸入口４２ａ」の順に流れる。そして、回路切替装置１９の切替に応じて、第１冷熱体２２および第２冷熱体５８の一方または両方が外気吸熱器４４と並列に接続される。
【０１３４】
本実施形態では第１三方弁１９３の第１ポート１９３ａは液加熱器２７の液媒体出口２７２ｂへ接続されている。第１三方弁１９３の第２ポート１９３ｂは、第２液媒体回路１６のうち液冷却器３５の液媒体出口３５２ｂから外気吸熱器４４の液媒体入口４４ａへ至る液媒体通路へ接続されている。第１三方弁１９３の第３ポート１９３ｃは第１冷熱体２２の液媒体入口２２ａへ接続されている。
【０１３５】
また、第２三方弁１９４の第１ポート１９４ａは、第１ウォータポンプ３８の吸入口３８ａへ接続されている。第２三方弁１９４の第２ポート１９４ｂは、外気吸熱器４４の液媒体出口４４ｂから第２ウォータポンプ４２の吸入口４２ａへ至る液媒体通路へ接続されている。第２三方弁１９４の第３ポート１９４ｃは第１冷熱体２２の液媒体出口２２ｂへ接続されている。
【０１３６】
また、第３三方弁１９５の第１ポート１９５ａは液加熱器２７の液媒体出口２７２ｂへ接続されている。第３三方弁１９５の第２ポート１９５ｂは、第２液媒体回路１６のうち液冷却器３５の液媒体出口３５２ｂから外気吸熱器４４の液媒体入口４４ａへ至る液媒体通路へ接続されている。第３三方弁１９５の第３ポート１９５ｃは第２冷熱体５８の液媒体入口５８ａへ接続されている。
【０１３７】
また、第４三方弁１９６の第１ポート１９６ａは、第１ウォータポンプ３８の吸入口３８ａへ接続されている。第４三方弁１９６の第２ポート１９６ｂは、外気吸熱器４４の液媒体出口４４ｂから第２ウォータポンプ４２の吸入口４２ａへ至る液媒体通路へ接続されている。第４三方弁１９６の第３ポート１９６ｃは第２冷熱体５８の液媒体出口５８ｂへ接続されている。
【０１３８】
また、本実施形態の第１三方弁１９３は、第１切替状態と第２切替状態とに加え、全ポート１９３ａ、１９３ｂ、１９３ｃを閉塞すると共に互いの接続を遮断する遮断状態にも切り替えられる。このことは、第２〜４三方弁１９４、１９５、１９６についても同様である。
【０１３９】
本実施形態の電子制御装置２０は、図８および図９の制御処理によって、前述の第２実施形態と同様に冷熱体切替制御を実行する。図８は、第１冷熱体２２について冷熱体切替制御を実行するための制御処理を示すフローチャートであって、第２実施形態の図５に相当する図である。また、図９は、第２冷熱体５８について冷熱体切替制御を実行するための制御処理を示すフローチャートであって、第２実施形態の図６に相当する図である。
【０１４０】
図８のステップＳ２０１、Ｓ２０２、Ｓ２０３、Ｓ２０４はそれぞれ図５のステップＳ２０１、Ｓ２０２、Ｓ２０３、Ｓ２０４と同じである。また、図９のステップＳ３０１、Ｓ３０２、Ｓ３０３、Ｓ３０４はそれぞれ図６のステップＳ３０１、Ｓ３０２、Ｓ３０３、Ｓ３０４と同じである。図８のフローチャートは、ステップＳ４０１、Ｓ４０２を含んでおり、この点が図５と異なる。また、図９のフローチャートは、ステップＳ５０１、Ｓ５０２を含んでおり、この点が図６と異なる。図８、９については、図５、６と異なる点を説明する。なお、本実施形態では、冷媒蒸発器３６（図４参照）に替えて外気吸熱器４４（図７参照）が設けられているので、図８のステップＳ２０２および図９のステップＳ３０２では、外気吸熱器４４が着霜しているか否かが推定される。
【０１４１】
先ず、図８について説明する。図８のステップＳ２０１にて第１冷熱体温度Ｔｓ１が第１液媒体温度ＴＨよりも高いと判定された場合、または、ステップＳ２０２にて外気吸熱器４４が着霜してはいないと推定された場合には、ステップＳ４０１へ進む。
【０１４２】
ステップＳ４０１では、第１冷熱体温度Ｔｓ１が第２液媒体温度ＴＬ以上であり且つ第１液媒体温度ＴＨ以下であるか否かを判定する。
【０１４３】
ステップＳ４０１において、第１冷熱体温度Ｔｓ１が第２液媒体温度ＴＬ以上であり且つ第１液媒体温度ＴＨ以下であると判定した場合には、ステップＳ２０４へ進む。その一方で、第１冷熱体温度Ｔｓ１が第２液媒体温度ＴＬ未満であると判定した場合または第１冷熱体温度Ｔｓ１が第１液媒体温度ＴＨよりも高いと判定した場合には、ステップＳ４０２へ進む。
【０１４４】
図８のステップＳ２０３では、第２実施形態と同様に、第１三方弁１９３および第２三方弁１９４をそれぞれ第２切替状態に切り替える。
【０１４５】
これにより、第１液媒体は第１冷熱体２２へ流れない。その一方で、第１冷熱体２２は外気吸熱器４４と並列になるように第２液媒体回路１６へ接続される。そして、液冷却器３５の第２液媒体流通部３５２から流出する第２液媒体の一部が「液冷却器３５の液媒体出口３５２ｂ→第１三方弁１９３→第１冷熱体２２→第２三方弁１９４→第２ウォータポンプ４２の吸入口４２ａ」の順に流れる。従って、第１冷熱体２２の熱は第２液媒体へ移動させられる。
【０１４６】
ステップＳ２０４では、第２実施形態と同様に、第１三方弁１９３および第２三方弁１９４をそれぞれ第１切替状態に切り替える。
【０１４７】
これにより、第２液媒体は第１冷熱体２２へ流れない。その一方で、第１ウォータポンプ３８から吐出される第１液媒体は「第１ウォータポンプ３８の吐出口３８ｂ→液加熱器２７の第１液媒体流通部２７２→第１三方弁１９３→第１冷熱体２２→第２三方弁１９４→第１ウォータポンプ３８の吸入口３８ａ」の順に流れる。従って、第１液媒体の熱は第１冷熱体２２へ移動させられる。
【０１４８】
ステップＳ４０２では、第１冷熱体２２を第１液媒体回路１４と第２液媒体回路１６との何れにも接続しない。具体的には、第１三方弁１９３および第２三方弁１９４をそれぞれ遮断状態に切り替える。
【０１４９】
また、ステップＳ２０３、Ｓ２０４、またはＳ４０２の次はステップＳ２０１へ戻り、図８の制御処理は、再びステップＳ２０１から開始する。
【０１５０】
次に、図９の制御処理を説明する。図９の制御処理は上記の図８の制御処理と基本的に同様である。すなわち、図９のステップＳ３０１、Ｓ３０２、Ｓ３０３、Ｓ３０４、Ｓ５０１、Ｓ５０２は図８のステップＳ２０１、Ｓ２０２、Ｓ２０３、Ｓ２０４、Ｓ４０１、Ｓ４０２とそれぞれ同様である。
【０１５１】
但し、図９の制御処理では、図８の制御処理における第１冷熱体２２が第２冷熱体５８へ置き換わり、第１三方弁１９３が第３三方弁１９５へ置き換わり、第２三方弁１９４が第４三方弁１９６へ置き換わり、第１冷熱体温度Ｔｓ１が第２冷熱体温度Ｔｓ２に置き換わる。
【０１５２】
なお、第１〜４三方弁１９３、１９４、１９５、１９６の全部が第２切替状態または遮断状態に切り替えられた場合には、第１液媒体は２つの冷熱体２２、５８の何れにも流通できなくなるので、第１ウォータポンプ３８は停止させられる。また、図８のステップＳ２０２および図９のステップＳ３０２は推定部に対応し、図８のステップＳ２０３、Ｓ２０４および図９のステップＳ３０３、Ｓ３０４は切替制御部に対応する。
【０１５３】
本実施形態では、前述の第１実施形態と共通の構成から奏される効果を第１実施形態と同様に得ることができる。
【０１５４】
（第４実施形態）
次に、第４実施形態について説明する。本実施形態では、前述の第１実施形態と異なる点を主として説明する。
【０１５５】
図１０は、本実施形態の空調システム１０の全体構成を示した回路図であって、第１実施形態の図１に相当する図である。図１０に示すように、本実施形態の空調システム１０は、２つの冷熱体２２、５８すなわち第１冷熱体２２と第２冷熱体５８とを備えている。また、冷熱体接続流路１８および回路切替装置１９は設けられていない。本実施形態はこれらの点が第１実施形態と異なる。
【０１５６】
具体的には図１０に示すように、本実施形態の第１液媒体回路１４は、第１ウォータポンプ３８およびヒータコア４０に加え、第１液媒体を第１冷熱体２２へ流す第１熱源流路１４１と、第１熱源用開閉弁１４２とを有している。
【０１５７】
その第１熱源流路１４１はヒータコア４０に対して並列に接続され、第１熱源流路１４１には第１冷熱体２２が設けられている。すなわち、第１冷熱体２２は、第１液媒体回路１４においてヒータコア４０と並列に接続されている。
【０１５８】
第１液媒体回路１４の第１熱源用開閉弁１４２は、例えば電子制御装置２０によって制御される開閉弁である。第１熱源用開閉弁１４２は第１熱源流路１４１に設けられており、電子制御装置２０の制御に従って第１熱源流路１４１を開閉する。
【０１５９】
このように構成された第１液媒体回路１４において第１熱源用開閉弁１４２が開弁されている場合には、第１ウォータポンプ３８から吐出される第１液媒体は、ヒータコア４０と第１冷熱体２２との両方へ流れる。そして、ヒータコア４０と第１冷熱体２２との各々から流出する第１液媒体は、液加熱器２７の第１液媒体流通部２７２を経て第１ウォータポンプ３８の吸入口３８ａへ流れる。このように循環する第１液媒体は第１冷熱体２２と液加熱器２７の第１液媒体流通部２７２とにおいて加熱され、空調空気ＡＲ１はヒータコア４０において第１液媒体によって加熱される。
【０１６０】
その一方で、第１熱源用開閉弁１４２が閉弁されている場合には、第１液媒体は、第１ウォータポンプ３８によってヒータコア４０と液加熱器２７の第１液媒体流通部２７２との間で循環させられる。
【０１６１】
本実施形態の第２液媒体回路１６は、第２ウォータポンプ４２および外気吸熱器４４に加え、第２液媒体を第２冷熱体５８へ流す第２熱源流路１６１と、第２熱源用開閉弁１６２とを有している。
【０１６２】
その第２熱源流路１６１は外気吸熱器４４に対して並列に接続され、第２熱源流路１６１には第２冷熱体５８が設けられている。すなわち、第２冷熱体５８は、第２液媒体回路１６において外気吸熱器４４と並列に接続されている。
【０１６３】
第２液媒体回路１６の第２熱源用開閉弁１６２は、例えば電子制御装置２０によって制御される開閉弁である。第２熱源用開閉弁１６２は第２熱源流路１６１に設けられており、電子制御装置２０の制御に従って第２熱源流路１６１を開閉する。
【０１６４】
このように構成された第２液媒体回路１６において第２熱源用開閉弁１６２が開弁されている場合には、第２ウォータポンプ４２から吐出される第２液媒体は、液冷却器３５の第２液媒体流通部３５２へ流れる。そして、その第２液媒体流通部３５２から流出する第２液媒体は、外気吸熱器４４と第２冷熱体５８との両方へ流れ、その外気吸熱器４４と第２冷熱体５８とのそれぞれから第２ウォータポンプ４２の吸入口４２ａへ流れる。このように循環する第２液媒体は第２冷熱体５８と外気吸熱器４４とにおいて加熱されてから液冷却器３５へと流れる。従って、第２冷熱体５８の熱量は液冷却器３５によって冷媒へ吸熱され、ヒートポンプ１２および第１ウォータポンプ３８の運転により最終的には暖房に利用される。
【０１６５】
その一方で、第２熱源用開閉弁１６２が閉弁されている場合には、第２液媒体は、第２ウォータポンプ４２によって外気吸熱器４４と液冷却器３５の第２液媒体流通部３５２との間で循環させられる。
【０１６６】
図１１は、第１熱源用開閉弁１４２を作動させるための制御処理を示したフローチャートであって、第１実施形態の図２に相当する図である。また、図１２は、第２熱源用開閉弁１６２を作動させるための制御処理を示すフローチャートであって、第１実施形態の図２に相当する図である。本実施形態の電子制御装置２０は、その図１１の制御処理と図１２の制御処理とを並列に周期的に繰り返し実行する。この図１１の制御処理と図１２の制御処理は互いに独立して実行される。
【０１６７】
図１１に示すように、電子制御装置２０は、まず、ステップＳ７１１にて、第１液媒体温度ＴＨが第１冷熱体温度Ｔｓ１よりも低いか否かを判定する。その第１液媒体温度ＴＨは、それの検出場所が定まっていれば、第１液媒体回路１４のうち第１熱源流路１４１を除く何れの箇所で検出されても良い。本実施形態では、液加熱器２７の第１液媒体流通部２７２またはヒータコア４０に流れる第１液媒体の温度が、このステップＳ７１１の判定に用いられる第１液媒体温度ＴＨとして検出される。また、例えば第１冷熱体２２を通る第１液媒体の温度が、このステップＳ７１１の判定に用いられる第１冷熱体温度Ｔｓ１として検出される。
【０１６８】
ステップＳ７１１において、第１液媒体温度ＴＨが第１冷熱体温度Ｔｓ１よりも低いと判定した場合には、ステップＳ７１２へ進む。その一方で、第１液媒体温度ＴＨが第１冷熱体温度Ｔｓ１以上であると判定した場合には、ステップＳ７１３へ進む。
【０１６９】
ステップＳ７１２では、電子制御装置２０は、第１熱源用開閉弁１４２を開弁する。すなわち、第１熱源用開閉弁１４２を開いて第１冷熱体２２へ第１液媒体を流通させる。
【０１７０】
ステップＳ７１３では、電子制御装置２０は、第１熱源用開閉弁１４２を閉弁する。すなわち、第１熱源用開閉弁１４２を閉じて、第１冷熱体２２への第１液媒体の流通を止める。
【０１７１】
また、図１１のステップＳ７１２またはＳ７１３の次はステップＳ７１１へ戻り、図１１の制御処理は、再びステップＳ７１１から開始する。
【０１７２】
次に、図１２の制御処理を説明する。図１２に示すように、電子制御装置２０は、まず、ステップＳ７２１にて、第２液媒体温度ＴＬが第２冷熱体温度Ｔｓ２よりも低いか否かを判定する。その第２液媒体温度ＴＬは、それの検出場所が定まっていれば、第２液媒体回路１６のうち第２熱源流路１６１を除く何れの箇所で検出されても良い。本実施形態では、液冷却器３５の第２液媒体流通部３５２または外気吸熱器４４に流れる第２液媒体の温度が、このステップＳ７２１の判定に用いられる第２液媒体温度ＴＬとして検出される。また、例えば第２冷熱体５８を通る第２液媒体の温度が、このステップＳ７２１の判定に用いられる第２冷熱体温度Ｔｓ２として検出される。
【０１７３】
ステップＳ７２１において、第２液媒体温度ＴＬが第２冷熱体温度Ｔｓ２よりも低いと判定した場合には、ステップＳ７２２へ進む。その一方で、第２液媒体温度ＴＬが第２冷熱体温度Ｔｓ２以上であると判定した場合には、ステップＳ７２３へ進む。
【０１７４】
ステップＳ７２２では、電子制御装置２０は、第２熱源用開閉弁１６２を開弁する。すなわち、第２熱源用開閉弁１６２を開いて第２冷熱体５８へ第２液媒体を流通させる。
【０１７５】
ステップＳ７２３では、電子制御装置２０は、第２熱源用開閉弁１６２を閉弁する。すなわち、第２熱源用開閉弁１６２を閉じて、第２冷熱体５８への第２液媒体の流通を止める。
【０１７６】
また、図１２のステップＳ７２２またはＳ７２３の次はステップＳ７２１へ戻り、図１２の制御処理は、再びステップＳ７２１から開始する。
【０１７７】
本実施形態では、前述の第１実施形態と共通の構成から奏される効果を第１実施形態と同様に得ることができる。また、本実施形態によれば図１１に示すように、電子制御装置２０は、第１液媒体温度ＴＨが第１冷熱体温度Ｔｓ１よりも低い場合には、第１熱源用開閉弁１４２を開く。従って、液加熱器２７で加熱された第１液媒体の温度ＴＨを下げることなく第１冷熱体２２の熱を暖房に利用することが可能である。要するに、第１冷熱体２２と第１液媒体との熱の授受により暖房性能の向上を図ることが可能である。
【０１７８】
また、本実施形態によれば図１２に示すように、電子制御装置２０は、第２液媒体温度ＴＬが第２冷熱体温度Ｔｓ２よりも低い場合には、第２熱源用開閉弁１６２を開く。従って、液冷却器３５で冷却された第２液媒体の温度ＴＬを下げることなく第２冷熱体５８の熱を暖房に利用することが可能である。要するに、第２冷熱体５８と第２液媒体との熱の授受により暖房性能の向上を図ることが可能である。
【０１７９】
（第５実施形態）
次に、第５実施形態について説明する。本実施形態では、前述の第４実施形態と異なる点を主として説明する。
【０１８０】
図１３は、本実施形態の空調システム１０の全体構成を示した回路図であって、第４実施形態の図１０に相当する図である。図１３に示すように、本実施形態では、第４実施形態とは異なり、第１熱源用開閉弁１４２、第２熱源流路１６１、および第２熱源用開閉弁１６２が設けられていない。また、本実施形態の第２冷熱体５８の配置が第４実施形態と異なっている。
【０１８１】
具体的には図１３に示すように、本実施形態の第２液媒体回路１６は、第４実施形態の第２液媒体回路１６と比較して更に、吸熱器バイパス通路６２と冷熱体バイパス通路６４と第１切替弁６６と第２切替弁６８とを有している。
【０１８２】
吸熱器バイパス通路６２は、第２液媒体回路１６において外気吸熱器４４と並列に設けられている。また、冷熱体バイパス通路６４は、第２冷熱体５８と並列に設けられている。
【０１８３】
また、第１切替弁６６は、電子制御装置２０によって制御される電動の三方弁であり、第１ポート６６ａと第２ポート６６ｂと第３ポート６６ｃとを有している。その第１ポート６６ａは吸熱器バイパス通路６２の上流端へ接続され、第２ポート６６ｂは外気吸熱器４４の液媒体入口４４ａへ接続され、第３ポート６６ｃは液冷却器３５の液媒体出口３５２ｂへ接続されている。そして、第１切替弁６６は、第１ポート６６ａを第３ポート６６ｃへ連通させる一方で第２ポート６６ｂを閉塞するバイパス状態と、第１ポート６６ａを閉塞する一方で第２ポート６６ｂを第３ポート６６ｃへ連通させる流通可能状態とに択一的に切り替えられる。
【０１８４】
例えば、第１切替弁６６がバイパス状態になると、第１切替弁６６の第３ポート６６ｃへ流入した第２液媒体は吸熱器バイパス通路６２を通るので外気吸熱器４４を迂回して流れ、外気吸熱器４４への第２液媒体の流れが遮断される。その一方で、第１切替弁６６が流通可能状態になると、第２液媒体は吸熱器バイパス通路６２へは流れずに、外気吸熱器４４へ流れる。このように、流通制限装置としての第１切替弁６６は、その切替状態に応じて、外気吸熱器４４への第２液媒体の流通を制限する。
【０１８５】
また、第２切替弁６８も、第１切替弁６６と同様、電子制御装置２０によって制御される電動の三方弁である。そして、第２切替弁６８は、第１ポート６８ａと第２ポート６８ｂと第３ポート６８ｃとを有している。その第１ポート６８ａは冷熱体バイパス通路６４の上流端へ接続され、第２ポート６８ｂは第２冷熱体５８の液媒体入口５８ａへ接続され、第３ポート６８ｃは吸熱器バイパス通路６２の下流端と外気吸熱器４４の液媒体出口４４ｂとの両方へ接続されている。そして、第２切替弁６８は、第１ポート６８ａを第３ポート６８ｃへ連通させる一方で第２ポート６８ｂを閉塞するバイパス状態と、第１ポート６８ａを閉塞する一方で第２ポート６８ｂを第３ポート６８ｃへ連通させる流通可能状態とに択一的に切り替えられる。このような切替えにより、第２切替弁６８は、第２冷熱体５８を第２液媒体回路１６へ接続するか否かを切り替える接続切替装置として機能する。
【０１８６】
例えば、第２切替弁６８がバイパス状態になると、第２切替弁６８の第３ポート６８ｃへ流入した第２液媒体は冷熱体バイパス通路６４を通るので第２冷熱体５８を迂回して流れ、第２冷熱体５８への第２液媒体の流れが遮断される。すなわち、第２液媒体回路１６への第２冷熱体５８の接続が遮断される。
【０１８７】
その一方で、第２切替弁６８が流通可能状態になると、第２液媒体は冷熱体バイパス通路６４へは流れずに、第２冷熱体５８へ流れる。すなわち、第２冷熱体５８が第２液媒体回路１６へ接続される。
【０１８８】
また、第２ウォータポンプ４２の吸入口４２ａは、冷熱体バイパス通路６４の下流端と第２冷熱体５８の液媒体出口５８ｂとの両方へ接続されている。
【０１８９】
本実施形態でも前述の第１実施形態と同様に複数のセンサが設けられている。例えば、本実施形態の液媒体温度センサ５０は、第１切替弁６６の第２ポート６６ｂと外気吸熱器４４の液媒体入口４４ａとの間の液媒体通路にて第２液媒体温度ＴＬを検出する。また、冷熱体温度センサ５２は、第２冷熱体５８内に形成された第２液媒体の流通路にて第２冷熱体温度Ｔｓ２を検出する。また、低圧側冷媒圧力センサ５６は、液冷却器３５の冷媒出口３５１ｂから圧縮機２４の吸入口２４ａまでの間にて低圧側冷媒圧力Ｐｓを検出する。なお、本実施形態でも第１実施形態と同様に、各センサの検出場所は上記の場所に限定されるものではない。
【０１９０】
本実施形態の電子制御装置２０（図１参照）も第１実施形態と同様に種々の空調制御を実行し、その空調制御の１つとして、第１切替弁６６および第２切替弁６８の切替作動を行う切替弁制御を実行する。
【０１９１】
図１４は、その切替弁制御を実行するための制御処理を示すフローチャートである。電子制御装置２０は、例えば車両のイグニッションスイッチがオンにされると図１４の制御処理を開始し、その図１４の制御処理を周期的に繰り返し実行する。
【０１９２】
図１４に示すように、電子制御装置２０は、まず、ステップＳ６０１にて、第２冷熱体５８への第２液媒体の流れを第２切替弁６８によって遮断すると共に、第２液媒体を冷熱体バイパス通路６４へと流す。具体的には、図１３に示す第２切替弁６８をバイパス状態に切り替える。既に第２切替弁６８がバイパス状態になっていれば、その状態を継続する。図１４のステップＳ６０１の次はステップＳ６０２へ進む。
【０１９３】
ステップＳ６０２では、第１切替弁６６によって、液冷却器３５の液媒体出口３５２ｂを外気吸熱器４４へ連通させると共に、吸熱器バイパス通路６２を遮断する。具体的には、図１３に示す第１切替弁６６を流通可能状態に切り替える。既に第１切替弁６６が流通可能状態になっていれば、その状態を継続する。図１４のステップＳ６０２の次はステップＳ６０３へ進む。
【０１９４】
ステップＳ６０３では、外気吸熱器４４が着霜しているか否かを推定する。本実施形態では、第２液媒体温度ＴＬが外気温度Ｔａよりも高く且つ第２液媒体温度ＴＬと外気温度Ｔａとの温度差ΔＴＬａが予め定められた温度差閾値Ｔｉｘ以上であるという外気温度条件が成立する場合すなわち「ＴＬ−Ｔａ≧Ｔｉｘ」という関係式が成立する場合、または、低圧側冷媒圧力Ｐｓが冷媒圧力閾値Ｐｉ以下である場合に、外気吸熱器４４が着霜していると推定する。その温度差閾値Ｔｉｘは例えば０以上の値であり、外気吸熱器４４の着霜の有無を判定できるように予め実験的に定められている。
【０１９５】
このステップＳ６０３では、第２液媒体温度ＴＬ、外気温度Ｔａ、および低圧側冷媒圧力Ｐｓを取得した上で、外気吸熱器４４が着霜しているか否かを推定する。
【０１９６】
ステップＳ６０３において、外気吸熱器４４が着霜していると推定された場合には、ステップＳ６０５へ進む。その一方で、外気吸熱器４４が着霜してはいないと推定された場合には、ステップＳ６０４へ進む。
【０１９７】
ステップＳ６０４では、第２冷熱体温度Ｔｓ２を取得し、第２冷熱体温度Ｔｓ２が第２液媒体温度ＴＬ以下であるか否かを判定する。
【０１９８】
ステップＳ６０４において、第２冷熱体温度Ｔｓ２が第２液媒体温度ＴＬ以下であると判定した場合には、ステップＳ６０１へ進む。その一方で、第２冷熱体温度Ｔｓ２が第２液媒体温度ＴＬよりも高いと判定した場合には、ステップＳ６０６へ進む。
【０１９９】
ステップＳ６０５では、第１切替弁６６によって、第２液媒体を吸熱器バイパス通路６２へと流すと共に、外気吸熱器４４への第２液媒体の流れを遮断する。これにより、第２液媒体回路１６を循環する第２液媒体は外気ＡＲ２から吸熱しなくなる。ここで、外気吸熱器４４への第２液媒体の流れを完全に遮断する必要はなく、例えばステップＳ６０２で実現される第２液媒体の流れと比較して、外気吸熱器４４へ流通する第２液媒体の流量を減少させればよい。
【０２００】
具体的には、図１３に示す第１切替弁６６をバイパス状態に切り替える。既に第１切替弁６６がバイパス状態になっていれば、その状態を継続する。図１４のステップＳ６０５の次はステップＳ６０６へ進む。
【０２０１】
ステップＳ６０６では、第２切替弁６８によって、第２液媒体を第２冷熱体５８へ流通させると共に、冷熱体バイパス通路６４を遮断する。具体的には、図１３に示す第２切替弁６８を流通可能状態に切り替える。既に第２切替弁６８が流通可能状態になっていれば、その状態を継続する。これにより、第２冷熱体５８からの吸熱を行い、ヒートポンプ暖房運転を行うことができる。図１４のステップＳ６０６の次はステップＳ６０３へ進む。
【０２０２】
このように図１４の制御処理を行うことによって、電子制御装置２０は、第２液媒体温度ＴＬが外気温度Ｔａよりも高く且つ第２液媒体温度ＴＬと外気温度Ｔａとの温度差ΔＴＬａが温度差閾値Ｔｉｘ以上であるという外気温度条件が成立する場合には、その外気温度条件が不成立である場合と比較して、外気吸熱器４４へ流通する第２液媒体の流量を第１切替弁６６により減少させる。これにより、外気吸熱器４４にて第２液媒体から外気ＡＲ２（図１３参照）へ放熱されてしまうという事態を抑制することが可能である。そして、外気吸熱器４４が着霜した場合にその着霜の進行を防止することが可能である。
【０２０３】
また、電子制御装置２０は、第２冷熱体温度Ｔｓ２が第２液媒体温度ＴＬ以下である場合には、第２冷熱体５８への第２液媒体の流れを第２切替弁６８によって遮断する。これにより、第２液媒体から第２冷熱体５８へ放熱されてしまうという事態を抑制することが可能である。
【０２０４】
なお、図１４のステップＳ６０２、Ｓ６０５は制御部に対応する。
【０２０５】
本実施形態では、前述の第４実施形態と共通の構成から奏される効果を第４実施形態と同様に得ることができる。
【０２０６】
（第６実施形態）
次に、第６実施形態について説明する。本実施形態では、前述の第１実施形態と異なる点を主として説明する。
【０２０７】
本実施形態では電子制御装置２０が実行する制御処理のみが第１実施形態と異なる。従って、本実施形態の空調システム１０の回路構成は第１実施形態と同様であり、図１に示す通りである。
【０２０８】
具体的に本実施形態の電子制御装置２０は、図１５の制御処理を周期的に繰り返し実行する。その図１５は、本実施形態の電子制御装置２０が実行する制御処理を示したフローチャートであって、第１実施形態の図２に相当する図である。
【０２０９】
図１５に示すように、電子制御装置２０は、まず、ステップＳ８０１にて、空調システム１０による暖房がオンにされているか否かを判定する。例えば、その判定は、乗員によって操作される暖房スイッチの操作位置に基づいて行われる。その暖房スイッチがオンにされると、空調システム１０による暖房は実施される。すなわちその暖房はオンになる。一方で、暖房スイッチがオフにされると、空調システム１０による暖房は止まる。すなわちその暖房はオフになる。従って、その暖房スイッチがオンにされていれば、その暖房はオンであると判定される。逆に、暖房スイッチがオフにされていれば、その暖房はオフであると判定される。
【０２１０】
ステップＳ８０１において、暖房がオンにされていると判定した場合には、ステップＳ８０２へ進む。その一方で、暖房がオフにされていると判定した場合には、図１５のフローチャートは再び、このステップＳ８０１から開始する。
【０２１１】
ステップＳ８０２では、累積時間ｔｘが累積される。既に、その累積時間ｔｘの累積が開始されている場合には、その累積時間ｔｘの累積は継続される。
【０２１２】
また、この累積時間ｔｘの初期値は０であり、累積時間ｔｘは、例えば空調システム１０による暖房がオフになる毎に初期値に戻る。従って、この累積時間ｔｘは、空調システム１０による暖房運転の開始時点からの経過時間を表す。ステップＳ８０２の次はステップＳ８０３へ進む。
【０２１３】
ステップＳ８０３では、累積時間ｔｘが所定時間ｔ１よりも大きくなったか否かを判定する。その所定時間ｔ１は、空調システム１０による暖房の立上り性向上と外気吸熱器４４の着霜防止との両立が図られるように予め実験的に定められている。
【０２１４】
ステップＳ８０３において、累積時間ｔｘが所定時間ｔ１よりも大きくなったと判定した場合には、ステップＳ１０３へ進む。その一方で、累積時間ｔｘが所定時間ｔ１よりも大きくなってはいないと判定した場合には、ステップＳ１０４へ進む。
【０２１５】
図１５のステップＳ１０３は図２のステップＳ１０３と同じであり、図１５のステップＳ１０４は図２のステップＳ１０４と同じである。
【０２１６】
この図１５の制御処理によれば、本実施形態の電子制御装置２０は、暖房運転の開始時から所定時間ｔ１が経過するまでは、回路切替装置１９により冷熱体２２を第１液媒体回路１４へ接続させる。そして、電子制御装置２０は、その所定時間ｔ１が経過してから、回路切替装置１９に冷熱体２２を第２液媒体回路１６へ接続させる。
【０２１７】
従って、冷熱体２２と第１液媒体または第２液媒体との熱の授受により暖房性能の向上を図ることが可能である。そして、暖房運転の開始当初においては、空調空気ＡＲ１の加熱に対して影響が大きい第１液媒体の温度上昇を早めることが可能である。それと共に、暖房運転の開始時から所定時間ｔ１の経過後には、外気吸熱器４４の着霜に起因した暖房性能の低下を防止することを優先することが可能である。
【０２１８】
また、本実施形態では、前述の第１実施形態と共通の構成から奏される効果を第１実施形態と同様に得ることができる。
【０２１９】
なお、本実施形態では、上述のように図１５の制御処理が実行されるが、例えば本実施形態の一変形例として、その図１５の制御処理と共に図２の制御処理が実行されてもよい。そのようにした場合には、例えば、図１５のステップＳ１０３で冷熱体２２が第２液媒体回路１６へ接続された時から所定の時間間隔を空けた後に、図１５の制御処理に替えて図２の制御処理が実行される。
【０２２０】
（第７実施形態）
次に、第７実施形態について説明する。本実施形態では、前述の第１実施形態と異なる点を主として説明する。
【０２２１】
本実施形態では電子制御装置２０が実行する制御処理のみが第１実施形態と異なる。従って、本実施形態の空調システム１０の回路構成は第１実施形態と同様であり、図１に示す通りである。
【０２２２】
具体的に本実施形態の電子制御装置２０は、図１６の制御処理を周期的に繰り返し実行する。その図１６は、本実施形態の電子制御装置２０が実行する制御処理を示したフローチャートであって、第１実施形態の図２に相当する図である。
【０２２３】
図１６のフローチャートは、図２と同じステップＳ１０１、Ｓ１０２、Ｓ１０３、Ｓ１０４を有し、それらに加えて、ステップＳ１０５、Ｓ１０６を有する。そこで、ステップＳ１０１、Ｓ１０２、Ｓ１０３、Ｓ１０４の説明は省略し、ステップＳ１０５、Ｓ１０６について以下に説明する。
【０２２４】
図１６のフローチャートでは、ステップＳ１０２において、外気吸熱器４４が着霜していると推定された場合には、ステップＳ１０５へ進む。なお、ステップＳ１０１とステップＳ１０５との実行順序から判るように、ステップＳ１０５は、冷熱体温度Ｔｓが第１液媒体温度ＴＨ以下であるとステップＳ１０１にて判定された場合に実行される。
【０２２５】
図１６に示すように、電子制御装置２０は、ステップＳ１０５にて、冷熱体温度Ｔｓが第２液媒体温度ＴＬよりも高いか否かを判定する。
【０２２６】
ステップＳ１０５において、冷熱体温度Ｔｓが第２液媒体温度ＴＬよりも高いと判定した場合には、ステップＳ１０３へ進む。その一方で、冷熱体温度Ｔｓが第２液媒体温度ＴＬ以下であると判定した場合には、ステップＳ１０６へ進む。
【０２２７】
ステップＳ１０６では、電子制御装置２０は、図１に示す冷熱体２２を第１液媒体回路１４と第２液媒体回路１６との何れにも接続しない。すなわち、第１液媒体回路１４では冷熱体２２を経由させずに第１液媒体を循環させる。それと共に、第２液媒体回路１６では冷熱体２２を経由させずに第２液媒体を循環させる。
【０２２８】
具体的には、電子制御装置２０は、第１三方弁１９３および第２三方弁１９４をそれぞれ遮断状態に切り替える。それと共に、電子制御装置２０は、第１開閉弁１９１と第２開閉弁１９２とのそれぞれを開弁させる。なお、本実施形態の第１三方弁１９３の遮断状態および第２三方弁１９４の遮断状態は何れも、第３実施形態で説明された三方弁１９３〜１９６の遮断状態と同様である。
【０２２９】
また、ステップＳ１０３、Ｓ１０４、またはＳ１０６の次はステップＳ１０１へ戻り、図１６の制御処理は、再びステップＳ１０１から開始する。
【０２３０】
この図１６の制御処理によれば、本実施形態の電子制御装置２０は、冷熱体温度Ｔｓが第１液媒体温度ＴＨよりも高い場合には、回路切替装置１９により冷熱体２２を第１液媒体回路１４へ接続させる。これにより、冷熱体２２が第１液媒体回路１４へ接続された際に、冷熱体２２が第１液媒体から吸熱するという事態を回避することが可能である。
【０２３１】
また、本実施形態の電子制御装置２０は、冷熱体温度Ｔｓが第１液媒体温度ＴＨ以下であり、且つ、冷熱体温度Ｔｓが第２液媒体温度ＴＬよりも高い場合には、回路切替装置１９に冷熱体２２を第２液媒体回路１６へ接続させる。これにより、冷熱体２２が第２液媒体回路１６へ接続された際に、冷熱体２２が第２液媒体から吸熱するという事態を回避することが可能である。
【０２３２】
また、本実施形態では、前述の第１実施形態と共通の構成から奏される効果を第１実施形態と同様に得ることができる。
【０２３３】
（第８実施形態）
次に、第８実施形態について説明する。本実施形態では、前述の第２実施形態と異なる点を主として説明する。
【０２３４】
本実施形態ではヒートポンプ１２が第２実施形態と異なっており、それ以外は第２実施形態と同じである。すなわち、本実施形態の空調システム１０は、第２実施形態の空調システム１０においてヒートポンプ１２が図１７のヒートポンプ１２に置き換わったものである。この図１７に示す本実施形態のヒートポンプ１２は、図１に示す第１実施形態のヒートポンプ１２と同じである。
【０２３５】
本実施形態では、前述の第２実施形態と共通の構成から奏される効果を第２実施形態と同様に得ることができる。
【０２３６】
（第９実施形態）
次に、第９実施形態について説明する。本実施形態では、前述の第１実施形態と異なる点を主として説明する。
【０２３７】
本実施形態ではヒートポンプ１２が第１実施形態と異なっており、それ以外は第１実施形態と同じである。すなわち、本実施形態の空調システム１０は、第１実施形態の空調システム１０においてヒートポンプ１２が図１８のヒートポンプ１２に置き換わったものである。この図１８に示す本実施形態のヒートポンプ１２は、図７に示す第３実施形態のヒートポンプ１２と同じである。
【０２３８】
本実施形態では、前述の第１実施形態と共通の構成から奏される効果を第１実施形態と同様に得ることができる。
【０２３９】
なお、本実施形態は第１実施形態のヒートポンプ１２を図１８のヒートポンプ１２に置き換えたものであるが、前述の第２、４〜７実施形態のヒートポンプ１２をそれぞれこの図１８のヒートポンプ１２に置き換えることも可能である。
【０２４０】
（第１０実施形態）
次に、第１０実施形態について説明する。本実施形態では、前述の第１実施形態と異なる点を主として説明する。
【０２４１】
本実施形態ではヒートポンプ１２が第１実施形態と異なっており、それ以外は第１実施形態と同じである。すなわち、本実施形態の空調システム１０は、第１実施形態の空調システム１０においてヒートポンプ１２が図１９のヒートポンプ１２に置き換わったものである。この図１９に示す本実施形態のヒートポンプ１２は、上述の図１８のヒートポンプ１２に対し、液加熱器２７とコンデンサ２８との接続関係が異なっている。
【０２４２】
具体的には図１９に示すように、本実施形態の冷媒放熱部２６は、液加熱器２７に加えコンデンサ２８を含んで構成されている。そして、そのコンデンサ２８は、その液加熱器２７の冷媒流通部２７１に対し並列に接続されている。従って、圧縮機２４の吐出口２４ｂから吐出された冷媒は、液加熱器２７の冷媒流通部２７１とコンデンサ２８とのそれぞれへ流入する。そして、液加熱器２７の冷媒流通部２７１とコンデンサ２８とのそれぞれから冷媒は減圧部３２へ流入する。
【０２４３】
本実施形態では、前述の第１実施形態と共通の構成から奏される効果を第１実施形態と同様に得ることができる。
【０２４４】
なお、本実施形態は第１実施形態のヒートポンプ１２を図１９のヒートポンプ１２に置き換えたものであるが、前述の第２〜７実施形態のヒートポンプ１２をそれぞれこの図１９のヒートポンプ１２に置き換えることも可能である。
【０２４５】
（第１１実施形態）
次に、第１１実施形態について説明する。本実施形態では、前述の第１実施形態と異なる点を主として説明する。
【０２４６】
本実施形態ではヒートポンプ１２が第１実施形態と異なっており、それ以外は第１実施形態と同じである。すなわち、本実施形態の空調システム１０は、第１実施形態の空調システム１０においてヒートポンプ１２が図２０のヒートポンプ１２に置き換わったものである。この図２０に示す本実施形態のヒートポンプ１２は、図１のヒートポンプ１２に対し、室外放熱器７２が付け加えられている。
【０２４７】
具体的には図２０に示すように、本実施形態の冷媒放熱部２６は、液加熱器２７に加え室外放熱器７２を含んで構成されている。
【０２４８】
その室外放熱器７２は冷媒入口７２ａと冷媒出口７２ｂとを有している。そして、室外放熱器７２は、冷媒入口７２ａから流入した冷媒と室外放熱器７２を通過する外気ＡＲ２とを熱交換させることでその冷媒の熱を外気ＡＲ２へ移動させる。すなわち、冷媒から外気ＡＲ２へ放熱させる。
【０２４９】
また、室外放熱器７２は、その液加熱器２７の冷媒流通部２７１に対し直列に接続されている。詳細には、その室外放熱器７２は、その冷媒流通部２７１に対し冷媒流れ下流側に設けられている。
【０２５０】
従って、液加熱器２７の冷媒出口２７１ｂから流出した冷媒は室外放熱器７２の冷媒入口７２ａへ流入する。そして、その冷媒は室外放熱器７２内で熱交換された後、室外放熱器７２の冷媒出口７２ｂから減圧部３２へ流れる。
【０２５１】
本実施形態では、前述の第１実施形態と共通の構成から奏される効果を第１実施形態と同様に得ることができる。
【０２５２】
なお、本実施形態は第１実施形態のヒートポンプ１２を図２０のヒートポンプ１２に置き換えたものであるが、前述の第２、４〜７実施形態のヒートポンプ１２をそれぞれこの図２０のヒートポンプ１２に置き換えることも可能である。
【０２５３】
（第１２実施形態）
次に、第１２実施形態について説明する。本実施形態では、前述の第１実施形態と異なる点を主として説明する。
【０２５４】
本実施形態ではヒートポンプ１２が第１実施形態と異なっており、それ以外は第１実施形態と同じである。すなわち、本実施形態の空調システム１０は、第１実施形態の空調システム１０においてヒートポンプ１２が図２１のヒートポンプ１２に置き換わったものである。この図２１に示す本実施形態のヒートポンプ１２は、上述の図２０のヒートポンプ１２に対し、液加熱器２７と室外放熱器７２との接続関係が異なっている。
【０２５５】
具体的には図２０に示すように、本実施形態の冷媒放熱部２６は、液加熱器２７に加え室外放熱器７２を含んで構成されている。そして、その室外放熱器７２は、その液加熱器２７の冷媒流通部２７１に対し並列に接続されている。従って、圧縮機２４の吐出口２４ｂから吐出された冷媒は、液加熱器２７の冷媒流通部２７１と室外放熱器７２とのそれぞれへ流入する。そして、液加熱器２７の冷媒流通部２７１と室外放熱器７２とのそれぞれから冷媒は減圧部３２へ流入する。
【０２５６】
本実施形態では、前述の第１実施形態と共通の構成から奏される効果を第１実施形態と同様に得ることができる。
【０２５７】
なお、本実施形態は第１実施形態のヒートポンプ１２を図２１のヒートポンプ１２に置き換えたものであるが、前述の第２、４〜７実施形態のヒートポンプ１２をそれぞれこの図２１のヒートポンプ１２に置き換えることも可能である。
【０２５８】
（第１３実施形態）
次に、第１３実施形態について説明する。本実施形態では、前述の第１実施形態と異なる点を主として説明する。
【０２５９】
本実施形態ではヒートポンプ１２が第１実施形態と異なっており、それ以外は第１実施形態と同じである。すなわち、本実施形態の空調システム１０は、第１実施形態の空調システム１０においてヒートポンプ１２が図２２のヒートポンプ１２に置き換わったものである。この図２２に示す本実施形態のヒートポンプ１２は、図４に示す第２実施形態のヒートポンプ１２と同じである。
【０２６０】
本実施形態では、前述の第１実施形態と共通の構成から奏される効果を第１実施形態と同様に得ることができる。
【０２６１】
なお、本実施形態は第１実施形態のヒートポンプ１２を図２２のヒートポンプ１２に置き換えたものであるが、前述の第４〜７実施形態のヒートポンプ１２をそれぞれこの図２２のヒートポンプ１２に置き換えることも可能である。
【０２６２】
（第１４実施形態）
次に、第１４実施形態について説明する。本実施形態では、前述の第１実施形態と異なる点を主として説明する。
【０２６３】
本実施形態ではヒートポンプ１２が第１実施形態と異なっており、それ以外は第１実施形態と同じである。すなわち、本実施形態の空調システム１０は、第１実施形態の空調システム１０においてヒートポンプ１２が図２３のヒートポンプ１２に置き換わったものである。この図２３に示す本実施形態のヒートポンプ１２は、上述の図２２のヒートポンプ１２に対し、液冷却器３５と冷媒蒸発器３６との接続関係が異なっている。
【０２６４】
具体的には図２３に示すように、本実施形態の冷媒吸熱部３４は、液冷却器３５に加え冷媒蒸発器３６を含んで構成されている。そして、その冷媒蒸発器３６は、その液冷却器３５の冷媒流通部３５１に対し並列に接続されている。従って、減圧部３２から流出した冷媒は、液冷却器３５の冷媒流通部３５１と冷媒蒸発器３６とのそれぞれへ流入する。そして、液冷却器３５の冷媒流通部３５１と冷媒蒸発器３６とのそれぞれから冷媒は圧縮機２４の吸入口２４ａへ流入する。
【０２６５】
本実施形態では、前述の第１実施形態と共通の構成から奏される効果を第１実施形態と同様に得ることができる。
【０２６６】
なお、本実施形態は第１実施形態のヒートポンプ１２を図２３のヒートポンプ１２に置き換えたものであるが、前述の第２、４〜７実施形態のヒートポンプ１２をそれぞれこの図２３のヒートポンプ１２に置き換えることも可能である。
【０２６７】
（第１５実施形態）
次に、第１５実施形態について説明する。本実施形態では、前述の第１実施形態と異なる点を主として説明する。
【０２６８】
本実施形態ではヒートポンプ１２が第１実施形態と異なっており、それ以外は第１実施形態と同じである。すなわち、本実施形態の空調システム１０は、第１実施形態の空調システム１０においてヒートポンプ１２が図２４のヒートポンプ１２に置き換わったものである。この図２４に示す本実施形態の冷媒放熱部２６は、図１８に示す第９実施形態の冷媒放熱部２６と同じである。また、本実施形態の冷媒吸熱部３４は、図２２に示す第１３実施形態の冷媒吸熱部３４と同じである。
【０２６９】
本実施形態では、前述の第１実施形態と共通の構成から奏される効果を第１実施形態と同様に得ることができる。
【０２７０】
なお、本実施形態は第１実施形態のヒートポンプ１２を図２４のヒートポンプ１２に置き換えたものであるが、前述の第２〜７実施形態のヒートポンプ１２をそれぞれこの図２４のヒートポンプ１２に置き換えることも可能である。
【０２７１】
（第１６実施形態）
次に、第１６実施形態について説明する。本実施形態では、前述の第１実施形態と異なる点を主として説明する。
【０２７２】
本実施形態ではヒートポンプ１２が第１実施形態と異なっており、それ以外は第１実施形態と同じである。すなわち、本実施形態の空調システム１０は、第１実施形態の空調システム１０においてヒートポンプ１２が図２５のヒートポンプ１２に置き換わったものである。この図２５に示す本実施形態の冷媒放熱部２６は、図１９に示す第１０実施形態の冷媒放熱部２６と同じである。また、本実施形態の冷媒吸熱部３４は、図２３に示す第１４実施形態の冷媒吸熱部３４と同じである。
【０２７３】
本実施形態では、前述の第１実施形態と共通の構成から奏される効果を第１実施形態と同様に得ることができる。
【０２７４】
なお、本実施形態は第１実施形態のヒートポンプ１２を図２５のヒートポンプ１２に置き換えたものであるが、前述の第２〜７実施形態のヒートポンプ１２をそれぞれこの図２５のヒートポンプ１２に置き換えることも可能である。
【０２７５】
（他の実施形態）
（１）上述の第２実施形態において、冷熱体２２、５８は２つ設けられているが、その２つの冷熱体２２、５８の一方が設けられていない構成も考え得る。要するに、冷熱体２２、５８は少なくとも１つ設けられていればよい。このことは、第３実施形態以降の実施形態でも同様である。
【０２７６】
（２）上述の第３実施形態において、コンデンサ２８は、液加熱器２７の冷媒流通部２７１に対し冷媒流れ上流側に設けられているが、逆に、液加熱器２７の冷媒流通部２７１に対し冷媒流れ下流側に設けられていても差し支えない。
【０２７７】
また、上述の第２実施形態において、冷媒蒸発器３６は、液冷却器３５の冷媒流通部３５１に対し冷媒流れ上流側に設けられているが、逆に、液冷却器３５の冷媒流通部３５１に対し冷媒流れ下流側に設けられていても差し支えない。
【０２７８】
（３）上述の第１実施形態において、図２のフローチャートにはステップＳ１０１が含まれているが、そのステップＳ１０１が無いフローチャートも考え得る。例えば、冷熱体２２が第１液媒体回路１４と第２液媒体回路１６との何れに接続されても冷熱体２２がその接続された液媒体回路１４、１６を流通する液媒体を加熱できる程度に発熱する場合には、ステップＳ１０１は不要である。このことは、第２実施形態に関しても同様である。
【０２７９】
（４）上述の第１実施形態において、図２のフローチャートにはステップＳ１０２が含まれているが、そのステップＳ１０２が無いフローチャートも考え得る。そのように図２のフローチャートが構成された場合、ステップＳ１０１において、冷熱体温度Ｔｓが第１液媒体温度ＴＨ以下であると判定した場合には、ステップＳ１０３へ進む。
【０２８０】
すなわち、電子制御装置２０は、冷熱体温度Ｔｓが第１液媒体温度ＴＨよりも高いと判定した場合には、回路切替装置１９に、冷熱体２２を第１液媒体回路１４へ接続させる。逆に、電子制御装置２０は、冷熱体温度Ｔｓが第１液媒体温度ＴＨ以下であると判定した場合には、回路切替装置１９に、冷熱体２２を第２液媒体回路１６へ接続させる。このようにすれば、冷熱体２２が第１液媒体回路１４へ接続された際に、冷熱体２２が第１液媒体から吸熱するという状況を回避することが可能である。このことは、第２、３実施形態に関しても同様である。
【０２８１】
（５）上述の第１実施形態において、図２のフローチャートに含まれるステップＳ１０２では、第２液媒体温度ＴＬと低圧側冷媒圧力Ｐｓと第２液媒体流量Ｖｗｌとのそれぞれに関する判定が為されるが、これは一例である。すなわち、そのステップＳ１０２では、それらの物理量ＴＬ、Ｐｓ、Ｖｗｌ全部について判定される必要はない。例えば、それらの物理量ＴＬ、Ｐｓ、Ｖｗｌのうちの何れかについて判定されるだけであっても差し支えない。このことは、図５、図６、図８、図９、図１４、および図１６のフローチャートに関しても同様である。
【０２８２】
（６）上述の第５実施形態において、外気吸熱器４４における外気ＡＲ２と第２液媒体との間の熱交換量は、外気吸熱器４４へ流通する第２液媒体の流量の増減によって調節されるが、これは一例である。例えば、外気吸熱器４４における外気ＡＲ２と第２液媒体との間の熱交換量は、外気吸熱器４４へ供給される外気ＡＲ２の流量すなわち室外送風機４６の送風量を増減させることによって調節されても差し支えない。
【０２８３】
そのようにした場合の図１４の制御処理では、電子制御装置２０は、第２液媒体温度ＴＬが外気温度Ｔａよりも高く且つ第２液媒体温度ＴＬと外気温度Ｔａとの温度差ΔＴＬａが温度差閾値Ｔｉｘ以上であるという外気温度条件が成立する場合には、その外気温度条件が不成立である場合と比較して、外気吸熱器４４へ供給される外気ＡＲ２の流量を室外送風機４６に減少させる。
【０２８４】
具体的には、第１切替弁６６および吸熱器バイパス通路６２が不要になる。それと共に、図１４のステップＳ６０２は図２６のステップＳ６０２−１に置き換わり、そのステップＳ６０２−１では、第１切替弁６６の制御に替えて室外送風機４６の制御を行い、室外送風機４６に外気ＡＲ２を送風させる。これにより、外気吸熱器４４では第２液媒体と外気ＡＲ２との間で熱交換が行われる。そして、図１４のステップＳ６０５は図２７のステップＳ６０５−１に置き換わり、そのステップＳ６０５−１では、第１切替弁６６の制御に替えて室外送風機４６の制御を行い、室外送風機４６を停止させる。これにより、外気吸熱器４４では第２液媒体と外気ＡＲ２との間で熱交換が止められる。
【０２８５】
このように第１切替弁６６の制御に替えて室外送風機４６の制御を行っても、外気吸熱器４４にて第２液媒体から外気ＡＲ２（図１３参照）へ放熱されてしまうという事態を抑制することが可能である。なお、図２６のステップＳ６０２−１および図２７のＳ６０５−１は制御部に対応する。
【０２８６】
（７）上述の各実施形態において、外気吸熱器４４は、車室外に設置された室外熱交換器であるが、車室内に設置される空調ユニット内に設けられ第２液媒体で空調空気ＡＲ１を冷却するクーラコアとしての室内熱交換器であっても差し支えない。
【０２８７】
（８）上述の各実施形態において、減圧部３２は温度感応型機械式膨張弁であるが、冷媒流れを絞る絞り開度が電動で調節される電動式の膨張弁であっても差し支えない。
【０２８８】
（９）上述の各実施形態において、図２、図５、図６、図８、図９、図１１、図１２、図１４〜１６、図２６、および図２７のフローチャートに示す各ステップの処理はコンピュータプログラムによって実現されるものであるが、これは一例である。例えば、それらのフローチャートに示す各ステップの処理は、ハードロジックで構成されるものであっても差し支えない。
【０２８９】
（１０）上述の第１実施形態では、電子制御装置２０は、外気吸熱器４４における熱に関連する所定の物理量に基づいて、冷熱体２２を第２液媒体回路１６へ接続するか否かの切替えを回路切替装置１９に行わせるが、これは一例である。例えば電子制御装置２０は、外気吸熱器４４の着霜防止を目的に回路切替装置１９を作動させてもよいし、着霜防止以外のことを目的に回路切替装置１９を作動させてもよい。
【０２９０】
具体的には、電子制御装置２０は、熱関連物理量に基づいて、冷熱体２２を第２液媒体回路１６へ接続するか否かの切替えを回路切替装置１９に行わせるということが想定される。その熱関連物理量とは、第１液媒体回路１４と第２液媒体回路１６と冷熱体２２、５８とヒートポンプ１２との何れかの熱に関連する物理量であり、その熱関連物理量には上記所定の物理量も含まれる。例えば、その熱関連物理量としては、外気温度Ｔａ、第１液媒体回路１４の第１液媒体の温度ＴＨ、その第１液媒体の流量、第２液媒体回路１６の第２液媒体の温度ＴＬ、その第２液媒体の流量Ｖｗｌ、各冷熱体温度Ｔｓ、Ｔｓ１、Ｔｓ２、冷熱体接続流路１８の液温、ヒートポンプ１２の冷媒の温度、および、その冷媒の圧力などが例示される。
【０２９１】
例えば上述の第５実施形態では図１４に示すように、電子制御装置２０は、熱関連物理量のうちの第２液媒体温度ＴＬと外気温度Ｔａとに基づいて、第２冷熱体５８を第２液媒体回路１６へ接続するか否かの切替えを、回路切替装置としての第２切替弁６８に行わせる。
【０２９２】
上記のように電子制御装置２０が、熱関連物理量に基づいて、冷熱体２２を第２液媒体回路１６へ接続するか否かの切替えを回路切替装置１９に行わせても、第２液媒体へ冷熱体２２の熱を適宜供給することが可能である。そして、その第２液媒体の熱は、ヒートポンプ１２を介して最終的には空調空気ＡＲ１へと供給される。従って、その冷熱体２２と第２液媒体との熱の授受により暖房性能の向上を図ることが可能である。
【０２９３】
（１１）上述の第４実施形態では図１０に示すように、冷熱体２２、５８が２つ設けられているが、その２つの冷熱体２２、５８のうちの一方が無い構成も考え得る。例えば第１冷熱体２２が無い場合には、第１熱源流路１４１および第１熱源用開閉弁１４２も設けられない。逆に、第２冷熱体５８が無い場合には、第２熱源流路１６１および第２熱源用開閉弁１６２も設けられない。
【０２９４】
（１２）上述の第７実施形態において、図１６のフローチャートにはステップＳ１０１、Ｓ１０２、Ｓ１０４が含まれているが、そのステップＳ１０１、Ｓ１０２、Ｓ１０４が無いフローチャートも考え得る。
【０２９５】
なお、本開示は上記した実施形態に限定されるものではない。本開示は、様々な変形例や均等範囲内の変形をも包含する。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【図１】
2017038677.tif 000003
【図２】
2017038677.tif 000004
【図３】
2017038677.tif 000005
【図４】
2017038677.tif 000006
【図５】
2017038677.tif 000007
【図６】
2017038677.tif 000008
【図７】
2017038677.tif 000009
【図８】
2017038677.tif 000010
【図９】
2017038677.tif 000011
【図１０】
2017038677.tif 000012
【図１１】
2017038677.tif 000013
【図１２】
2017038677.tif 000014
【図１３】
2017038677.tif 000015
【図１４】
2017038677.tif 000016
【図１５】
2017038677.tif 000017
【図１６】
2017038677.tif 000018
【図１７】
2017038677.tif 000019
【図１８】
2017038677.tif 000020
【図１９】
2017038677.tif 000021
【図２０】
2017038677.tif 000022
【図２１】
2017038677.tif 000023
【図２２】
2017038677.tif 000024
【図２３】
2017038677.tif 000025
【図２４】
2017038677.tif 000026
【図２５】
2017038677.tif 000027
【図２６】
2017038677.tif 000028
【図２７】
2017038677.tif 000029
【手続補正書】
【提出日】平成29年9月27日(2017.9.27)
【手続補正１】
【補正対象書類名】特許請求の範囲
【補正対象項目名】全文
【補正方法】変更
【補正の内容】
【特許請求の範囲】
【請求項１】
空調対象空間を暖める暖房運転を行う空調システムであって、
液冷却器（３５）、該液冷却器から流出する冷媒を吸入し該吸入した冷媒を圧縮してから吐出する圧縮機（２４）、該圧縮機から前記冷媒が流入し該流入した冷媒の熱のうちの少なくとも一部を前記空調対象空間へ吹き出される空調空気（ＡＲ１）へ放散させる冷媒放熱部（２６）、および、該冷媒放熱部から流出する前記冷媒を減圧してから前記液冷却器へ流す減圧部（３２）を含んで構成されたヒートポンプ（１２）と、
第１液媒体が循環する第１液媒体回路（１４）と、
該第１液媒体回路に対して独立して設けられ、第２液媒体が循環する第２液媒体回路（１６）と、
熱を発する熱源（２２、５８）と、
該熱源を前記第２液媒体回路へ接続するか否かを切り替える接続切替装置（１９、６８）と、
該接続切替装置を制御する制御装置（２０）とを備え、
前記冷媒放熱部は、前記第１液媒体と前記冷媒とを熱交換させることで前記冷媒の熱を前記第１液媒体へ移動させる液加熱器（２７）を含み、
前記液冷却器は、前記第２液媒体と前記冷媒とを熱交換させることで前記第２液媒体の熱を前記冷媒へ移動させ、
前記制御装置は、前記第１液媒体回路と前記第２液媒体回路と前記熱源と前記ヒートポンプとの何れかの熱に関連する熱関連物理量に基づいて、前記熱源を前記第２液媒体回路へ接続するか否かの切替えを前記接続切替装置に行わせ、
前記第２液媒体回路は、外気と前記第２液媒体とを熱交換させることで外気の熱を前記第２液媒体へ移動させる外気吸熱器（４４）と、前記外気吸熱器への前記第２液媒体の流通を制限する流通制限装置（６６）とを有し、
更に、前記制御装置は、前記第２液媒体の温度（ＴＬ）が外気の温度（Ｔａ）よりも高く且つ該第２液媒体の温度と該外気の温度との温度差が予め定められた温度差閾値（Ｔｉｘ）以上であるという外気温度条件が成立する場合には、該外気温度条件が不成立である場合と比較して、前記外気吸熱器へ流通する前記第２液媒体の流量を前記流通制限装置により減少させる空調システム。
【請求項２】
空調対象空間を暖める暖房運転を行う空調システムであって、
液冷却器（３５）、該液冷却器から流出する冷媒を吸入し該吸入した冷媒を圧縮してから吐出する圧縮機（２４）、該圧縮機から前記冷媒が流入し該流入した冷媒の熱のうちの少なくとも一部を前記空調対象空間へ吹き出される空調空気（ＡＲ１）へ放散させる冷媒放熱部（２６）、および、該冷媒放熱部から流出する前記冷媒を減圧してから前記液冷却器へ流す減圧部（３２）を含んで構成されたヒートポンプ（１２）と、
第１液媒体が循環する第１液媒体回路（１４）と、
該第１液媒体回路に対して独立して設けられ、第２液媒体が循環する第２液媒体回路（１６）と、
熱を発する熱源（２２、５８）と、
該熱源を前記第２液媒体回路へ接続するか否かを切り替える接続切替装置（１９、６８）と、
該接続切替装置を制御する制御装置（２０）とを備え、
前記冷媒放熱部は、前記第１液媒体と前記冷媒とを熱交換させることで前記冷媒の熱を前記第１液媒体へ移動させる液加熱器（２７）を含み、
前記液冷却器は、前記第２液媒体と前記冷媒とを熱交換させることで前記第２液媒体の熱を前記冷媒へ移動させ、
前記制御装置は、前記第１液媒体回路と前記第２液媒体回路と前記熱源と前記ヒートポンプとの何れかの熱に関連する熱関連物理量に基づいて、前記熱源を前記第２液媒体回路へ接続するか否かの切替えを前記接続切替装置に行わせ、
前記第２液媒体回路は、外気と前記第２液媒体とを熱交換させることで外気の熱を前記第２液媒体へ移動させる外気吸熱器（４４）と、前記外気吸熱器へ供給される外気の流量を増減する風量増減装置（４６）とを有し、
更に、前記制御装置は、前記第２液媒体の温度（ＴＬ）が外気の温度（Ｔａ）よりも高く且つ該第２液媒体の温度と該外気の温度との温度差が予め定められた温度差閾値（Ｔｉｘ）以上であるという外気温度条件が成立する場合には、該外気温度条件が不成立である場合と比較して、前記外気吸熱器へ供給される外気の流量を前記風量増減装置により減少させる空調システム。
【請求項３】
空調対象空間を暖める暖房運転を行う空調システムであって、
液冷却器（３５）、該液冷却器から流出する冷媒を吸入し該吸入した冷媒を圧縮してから吐出する圧縮機（２４）、該圧縮機から前記冷媒が流入し該流入した冷媒の熱のうちの少なくとも一部を前記空調対象空間へ吹き出される空調空気（ＡＲ１）へ放散させる冷媒放熱部（２６）、および、該冷媒放熱部から流出する前記冷媒を減圧してから前記液冷却器へ流す減圧部（３２）を含んで構成されたヒートポンプ（１２）と、
第１液媒体が循環する第１液媒体回路（１４）と、
該第１液媒体回路に対して独立して設けられ、第２液媒体が循環する第２液媒体回路（１６）と、
熱を発する熱源（２２、５８）と、
前記第２液媒体回路への前記熱源の接続を遮断する場合には、前記熱源を前記第１液媒体回路へ接続し、逆に、前記熱源を前記第２液媒体回路へ接続する場合には、前記第１液媒体回路への前記熱源の接続を遮断する接続切替装置（１９）と、
該接続切替装置を制御する制御装置（２０）とを備え、
前記冷媒放熱部は、前記第１液媒体と前記冷媒とを熱交換させることで前記冷媒の熱を前記第１液媒体へ移動させる液加熱器（２７）を含み、
前記液冷却器は、前記第２液媒体と前記冷媒とを熱交換させることで前記第２液媒体の熱を前記冷媒へ移動させ、
前記制御装置は、前記熱源の温度（Ｔｓ、Ｔｓ１、Ｔｓ２）が前記第１液媒体の温度（ＴＨ）よりも高い場合には、前記接続切替装置に前記熱源を前記第１液媒体回路へ接続させる空調システム。
【請求項４】
前記制御装置は、前記熱源の温度が前記第１液媒体の温度以下であり、且つ、前記熱源の温度が、前記第２液媒体の温度（ＴＬ）よりも高い場合には、前記接続切替装置に前記熱源を前記第２液媒体回路へ接続させる請求項３に記載の空調システム。
【請求項５】
空調対象空間を暖める暖房運転を行う空調システムであって、
液冷却器（３５）、該液冷却器から流出する冷媒を吸入し該吸入した冷媒を圧縮してから吐出する圧縮機（２４）、該圧縮機から前記冷媒が流入し該流入した冷媒の熱のうちの少なくとも一部を前記空調対象空間へ吹き出される空調空気（ＡＲ１）へ放散させる冷媒放熱部（２６）、および、該冷媒放熱部から流出する前記冷媒を減圧してから前記液冷却器へ流す減圧部（３２）を含んで構成されたヒートポンプ（１２）と、
第１液媒体が循環する第１液媒体回路（１４）と、
該第１液媒体回路に対して独立して設けられ、第２液媒体が循環する第２液媒体回路（１６）と、
熱を発する熱源（２２、５８）と、
該熱源を前記第２液媒体回路へ接続するか否かを切り替える接続切替装置（１９、６８）と、
該接続切替装置を制御する制御装置（２０）とを備え、
前記冷媒放熱部は、前記第１液媒体と前記冷媒とを熱交換させることで前記冷媒の熱を前記第１液媒体へ移動させる液加熱器（２７）を含み、
前記液冷却器は、前記第２液媒体と前記冷媒とを熱交換させることで前記第２液媒体の熱を前記冷媒へ移動させ、
前記制御装置は、前記熱源の温度（Ｔｓ、Ｔｓ１、Ｔｓ２）が前記第２液媒体の温度（ＴＬ）よりも高い場合には、前記接続切替装置に前記熱源を前記第２液媒体回路へ接続させる空調システム。
【請求項６】
空調対象空間を暖める暖房運転を行う空調システムであって、
液冷却器（３５）、該液冷却器から流出する冷媒を吸入し該吸入した冷媒を圧縮してから吐出する圧縮機（２４）、該圧縮機から前記冷媒が流入し該流入した冷媒の熱のうちの少なくとも一部を前記空調対象空間へ吹き出される空調空気（ＡＲ１）へ放散させる冷媒放熱部（２６）、および、該冷媒放熱部から流出する前記冷媒を減圧してから前記液冷却器へ流す減圧部（３２）を含んで構成されたヒートポンプ（１２）と、
第１液媒体が循環する第１液媒体回路（１４）と、
該第１液媒体回路に対して独立して設けられ、第２液媒体が循環する第２液媒体回路（１６）と、
熱を発する熱源（２２、５８）と、
前記第２液媒体回路への前記熱源の接続を遮断する場合には、前記熱源を前記第１液媒体回路へ接続し、逆に、前記熱源を前記第２液媒体回路へ接続する場合には、前記第１液媒体回路への前記熱源の接続を遮断する接続切替装置（１９）と、
該接続切替装置を制御する制御装置（２０）とを備え、
前記冷媒放熱部は、前記第１液媒体と前記冷媒とを熱交換させることで前記冷媒の熱を前記第１液媒体へ移動させる液加熱器（２７）を含み、
前記液冷却器は、前記第２液媒体と前記冷媒とを熱交換させることで前記第２液媒体の熱を前記冷媒へ移動させ、
前記制御装置は、前記第１液媒体回路と前記第２液媒体回路と前記熱源と前記ヒートポンプとの何れかの熱に関連する熱関連物理量に基づいて、前記熱源を前記第２液媒体回路へ接続するか否かの切替えを前記接続切替装置に行わせ、
前記第２液媒体回路は、外気と前記第２液媒体とを熱交換させることで外気の熱を前記第２液媒体へ移動させる外気吸熱器（４４）を有し、
更に、前記制御装置は、前記暖房運転の開始時から予め定められた所定時間（ｔ１）が経過するまでは、前記接続切替装置に前記熱源を前記第１液媒体回路へ接続させ、前記所定時間が経過してから、前記接続切替装置に前記熱源を前記第２液媒体回路へ接続させる空調システム。
【請求項７】
空調対象空間を暖める暖房運転を行う空調システムであって、
液冷却器（３５）、該液冷却器から流出する冷媒を吸入し該吸入した冷媒を圧縮してから吐出する圧縮機（２４）、該圧縮機から前記冷媒が流入し該流入した冷媒の熱のうちの少なくとも一部を前記空調対象空間へ吹き出される空調空気（ＡＲ１）へ放散させる冷媒放熱部（２６）、および、該冷媒放熱部から流出する前記冷媒を減圧してから前記液冷却器へ流す減圧部（３２）を含んで構成されたヒートポンプ（１２）と、
第１液媒体が循環する第１液媒体回路（１４）と、
該第１液媒体回路に対して独立して設けられ、第２液媒体が循環する第２液媒体回路（１６）と、
熱を発する熱源（２２、５８）と、
該熱源を前記第１液媒体回路と前記第２液媒体回路との何れかに接続する接続切替装置（１９）と、
該接続切替装置を制御する制御装置（２０）とを備え、
前記第２液媒体回路は、外気と前記第２液媒体とを熱交換させることで外気の熱を前記第２液媒体へ移動させる外気吸熱器（４４）を有し、
前記冷媒放熱部は、前記第１液媒体と前記冷媒とを熱交換させることで前記冷媒の熱を前記第１液媒体へ移動させる液加熱器（２７）を含み、
前記液冷却器は、前記第２液媒体と前記冷媒とを熱交換させることで前記第２液媒体の熱を前記冷媒へ移動させ、
前記制御装置は、前記暖房運転の開始時から予め定められた所定時間（ｔ１）が経過するまでは、前記接続切替装置に前記熱源を前記第１液媒体回路へ接続させ、前記所定時間が経過してから、前記接続切替装置に前記熱源を前記第２液媒体回路へ接続させる空調システム。
【請求項８】
前記冷媒放熱部は、前記ヒートポンプにおいて前記液加熱器に対し直列または並列に接続された室内放熱器（２８）を含み、
該室内放熱器は、前記冷媒と前記空調空気とを熱交換させることで該冷媒の熱を該空調空気へ移動させる請求項１ないし７のいずれか１つに記載の空調システム。
【請求項９】
空調対象空間を暖める暖房運転を行う空調システムであって、
液冷却器（３５）、該液冷却器から流出する冷媒を吸入し該吸入した冷媒を圧縮してから吐出する圧縮機（２４）、該圧縮機から前記冷媒が流入し該流入した冷媒の熱のうちの少なくとも一部を前記空調対象空間へ吹き出される空調空気（ＡＲ１）へ放散させる冷媒放熱部（２６）、および、該冷媒放熱部から流出する前記冷媒を減圧してから前記液冷却器へ流す減圧部（３２）を含んで構成されたヒートポンプ（１２）と、
第１液媒体が循環する第１液媒体回路（１４）と、
該第１液媒体回路に対して独立して設けられ、第２液媒体が循環する第２液媒体回路（１６）と、
熱を発する熱源（２２、５８）と、
該熱源を前記第２液媒体回路へ接続するか否かを切り替える接続切替装置（１９、６８）と、
該接続切替装置を制御する制御装置（２０）とを備え、
前記冷媒放熱部は、前記第１液媒体と前記冷媒とを熱交換させることで前記冷媒の熱を前記第１液媒体へ移動させる液加熱器（２７）を含み、
前記液冷却器は、前記第２液媒体と前記冷媒とを熱交換させることで前記第２液媒体の熱を前記冷媒へ移動させ、
前記制御装置は、前記第１液媒体回路と前記第２液媒体回路と前記熱源と前記ヒートポンプとの何れかの熱に関連する熱関連物理量に基づいて、前記熱源を前記第２液媒体回路へ接続するか否かの切替えを前記接続切替装置に行わせ、
前記冷媒放熱部は、前記ヒートポンプにおいて前記液加熱器に対し直列または並列に接続された室内放熱器（２８）を含み、
該室内放熱器は、前記冷媒と前記空調空気とを熱交換させることで該冷媒の熱を該空調空気へ移動させる空調システム。
【請求項１０】
前記冷媒放熱部は、前記圧縮機から流出した前記冷媒が前記減圧部へ流入するまでの該冷媒の経路にて前記液加熱器に対し直列または並列に接続された室外放熱器（７２）を含み、
該室外放熱器は、前記冷媒と外気とを熱交換させることで前記冷媒の熱を外気へ移動させる請求項１ないし７のいずれか１つに記載の空調システム。
【請求項１１】
空調対象空間を暖める暖房運転を行う空調システムであって、
液冷却器（３５）、該液冷却器から流出する冷媒を吸入し該吸入した冷媒を圧縮してから吐出する圧縮機（２４）、該圧縮機から前記冷媒が流入し該流入した冷媒の熱のうちの少なくとも一部を前記空調対象空間へ吹き出される空調空気（ＡＲ１）へ放散させる冷媒放熱部（２６）、および、該冷媒放熱部から流出する前記冷媒を減圧してから前記液冷却器へ流す減圧部（３２）を含んで構成されたヒートポンプ（１２）と、
第１液媒体が循環する第１液媒体回路（１４）と、
該第１液媒体回路に対して独立して設けられ、第２液媒体が循環する第２液媒体回路（１６）と、
熱を発する熱源（２２、５８）と、
該熱源を前記第２液媒体回路へ接続するか否かを切り替える接続切替装置（１９、６８）と、
該接続切替装置を制御する制御装置（２０）とを備え、
前記冷媒放熱部は、前記第１液媒体と前記冷媒とを熱交換させることで前記冷媒の熱を前記第１液媒体へ移動させる液加熱器（２７）を含み、
前記液冷却器は、前記第２液媒体と前記冷媒とを熱交換させることで前記第２液媒体の熱を前記冷媒へ移動させ、
前記制御装置は、前記第１液媒体回路と前記第２液媒体回路と前記熱源と前記ヒートポンプとの何れかの熱に関連する熱関連物理量に基づいて、前記熱源を前記第２液媒体回路へ接続するか否かの切替えを前記接続切替装置に行わせ、
前記冷媒放熱部は、前記圧縮機から流出した前記冷媒が前記減圧部へ流入するまでの該冷媒の経路にて前記液加熱器に対し直列または並列に接続された室外放熱器（７２）を含み、
該室外放熱器は、前記冷媒と外気とを熱交換させることで前記冷媒の熱を外気へ移動させる空調システム。
【請求項１２】
前記ヒートポンプは、前記液冷却器に対し直列または並列に接続された冷媒蒸発器（３６）を含み、
該冷媒蒸発器は、前記冷媒と外気とを熱交換させることで外気の熱を前記冷媒へ移動させる請求項１ないし９のいずれか１つに記載の空調システム。
【請求項１３】
空調対象空間を暖める暖房運転を行う空調システムであって、
液冷却器（３５）、該液冷却器から流出する冷媒を吸入し該吸入した冷媒を圧縮してから吐出する圧縮機（２４）、該圧縮機から前記冷媒が流入し該流入した冷媒の熱のうちの少なくとも一部を前記空調対象空間へ吹き出される空調空気（ＡＲ１）へ放散させる冷媒放熱部（２６）、および、該冷媒放熱部から流出する前記冷媒を減圧してから前記液冷却器へ流す減圧部（３２）を含んで構成されたヒートポンプ（１２）と、
第１液媒体が循環する第１液媒体回路（１４）と、
該第１液媒体回路に対して独立して設けられ、第２液媒体が循環する第２液媒体回路（１６）と、
熱を発する熱源（２２、５８）と、
該熱源を前記第２液媒体回路へ接続するか否かを切り替える接続切替装置（１９、６８）と、
該接続切替装置を制御する制御装置（２０）とを備え、
前記冷媒放熱部は、前記第１液媒体と前記冷媒とを熱交換させることで前記冷媒の熱を前記第１液媒体へ移動させる液加熱器（２７）を含み、
前記液冷却器は、前記第２液媒体と前記冷媒とを熱交換させることで前記第２液媒体の熱を前記冷媒へ移動させ、
前記制御装置は、前記第１液媒体回路と前記第２液媒体回路と前記熱源と前記ヒートポンプとの何れかの熱に関連する熱関連物理量に基づいて、前記熱源を前記第２液媒体回路へ接続するか否かの切替えを前記接続切替装置に行わせ、
前記ヒートポンプは、前記液冷却器に対し直列または並列に接続された冷媒蒸発器（３６）を含み、
該冷媒蒸発器は、前記冷媒と外気とを熱交換させることで外気の熱を前記冷媒へ移動させる空調システム。
【請求項１４】
空調対象空間を暖める暖房運転を行う空調システムであって、
液冷却器（３５）、該液冷却器から流出する冷媒を吸入し該吸入した冷媒を圧縮してから吐出する圧縮機（２４）、該圧縮機から前記冷媒が流入する液加熱器（２７）、および、該液加熱器から流出する前記冷媒を減圧してから前記液冷却器へ流す減圧部（３２）を含んで構成されたヒートポンプ（１２）と、
第１液媒体が循環する第１液媒体回路（１４）と、
該第１液媒体回路に対して独立して設けられ、第２液媒体が循環する第２液媒体回路（１６）と、
熱を発する熱源（２２）と、
制御装置（２０）とを備え、
前記第１液媒体回路は、前記第１液媒体と前記空調対象空間へ吹き出される空調空気（ＡＲ１）とを熱交換させることで前記第１液媒体の熱を前記空調空気へ移動させる放熱器（４０）と、該放熱器に対して並列に接続され前記第１液媒体を前記熱源へ流す熱源流路（１４１）と、該熱源流路を開閉する熱源用開閉弁（１４２）とを有し、
前記液加熱器は、前記第１液媒体と前記冷媒とを熱交換させることで前記冷媒の熱を前記第１液媒体へ移動させ、
前記液冷却器は、前記第２液媒体と前記冷媒とを熱交換させることで前記第２液媒体の熱を前記冷媒へ移動させ、
前記制御装置は、前記第１液媒体の温度（ＴＨ）が前記熱源の温度（Ｔｓ１）よりも低い場合に、熱源用開閉弁を開く空調システム。
【請求項１５】
第１熱源としての前記熱源のほかに、熱を発する第２熱源（５８）を備え、
前記熱源流路は第１熱源流路であり、
前記熱源用開閉弁は第１熱源用開閉弁であり、
前記第２液媒体回路は、外気と前記第２液媒体とを熱交換させることで外気の熱を前記第２液媒体へ移動させる外気吸熱器（４４）と、該外気吸熱器に対して並列に接続され前記第２液媒体を前記第２熱源へ流す第２熱源流路（１６１）と、該第２熱源流路を開閉する第２熱源用開閉弁（１６２）とを有し、
前記制御装置は、前記第２液媒体の温度（ＴＬ）が前記第２熱源の温度（Ｔｓ２）よりも低い場合に、第２熱源用開閉弁を開く請求項１４に記載の空調システム。
【請求項１６】
空調対象空間を暖める暖房運転を行う空調システムであって、
液冷却器（３５）、該液冷却器から流出する冷媒を吸入し該吸入した冷媒を圧縮してから吐出する圧縮機（２４）、該圧縮機から前記冷媒が流入する液加熱器（２７）、および、該液加熱器から流出する前記冷媒を減圧してから前記液冷却器へ流す減圧部（３２）を含んで構成されたヒートポンプ（１２）と、
第１液媒体が循環する第１液媒体回路（１４）と、
該第１液媒体回路に対して独立して設けられ、第２液媒体が循環する第２液媒体回路（１６）と、
熱を発する熱源（５８）と、
制御装置（２０）とを備え、
前記第１液媒体回路は、前記第１液媒体と前記空調対象空間へ吹き出される空調空気（ＡＲ１）とを熱交換させることで前記第１液媒体の熱を前記空調空気へ移動させる放熱器（４０）を有し、
前記第２液媒体回路は、外気と前記第２液媒体とを熱交換させることで外気の熱を前記第２液媒体へ移動させる外気吸熱器（４４）と、該外気吸熱器に対して並列に接続され前記第２液媒体を前記熱源へ流す熱源流路（１６１）と、該熱源流路を開閉する熱源用開閉弁（１６２）とを有し、
前記液加熱器は、前記第１液媒体と前記冷媒とを熱交換させることで前記冷媒の熱を前記第１液媒体へ移動させ、
前記液冷却器は、前記第２液媒体と前記冷媒とを熱交換させることで前記第２液媒体の熱を前記冷媒へ移動させ、
前記制御装置は、前記第２液媒体の温度（ＴＬ）が前記熱源の温度（Ｔｓ２）よりも低い場合に、熱源用開閉弁を開く空調システム。
【国際調査報告】
2017038677.tif 000030
2017038677.tif 000031
2017038677.tif 000032
2017038677.tif 000033